(57)【特許請求の範囲】
【請求項１】
ユーザの操作に応じて、画像データを送受信する第１の情報処理装置、および前記画像データを管理する第２の情報処理装置からなる情報処理システムにおいて、
前記第１の情報処理装置は、
ネットワークを介して前記第２の情報処理装置に、前記ユーザに対応する画像データを分類するグループのリストの送信を要求する第１の要求手段と、
前記第２の情報処理装置から送信された前記ユーザに対応する前記グループのリストを表示し、前記ユーザによる、前記グループの選択を受け付ける第１の受付手段と、
前記第２の情報処理装置に、前記第１の受付手段により受け付けられた前記グループに分類されている前記画像データに対応する画像の索引の送信を要求する第２の要求手段と、
前記第２の情報処理装置より送信された前記画像の索引を表示し、前記ユーザによる、ダウンロードを希望する１以上の前記画像の選択を受け付ける第２の受付手段と、
前記第２の情報処理装置に対して、前記受付手段により選択が受け付けられた前記画像に対応する前記画像データのファイルサイズおよび前記画像データのフォーマットの種類に関する情報、並びに前記画像データに対応するURLを含んでいる判定情報の送信を要求する第３の要求手段と、
前記第２の受付手段により受け付けられた１以上の前記画像に対応する前記画像データの中から、１ずつ前記画像データをピックアップし、前記第２の情報処理装置より送信されてきた前記判定情報に含まれる前記画像データのファイルサイズを前記記録媒体の空き記憶容量と比較するとともに、前記判定情報に含まれる前記画像データのフォーマットの種類に関する情報を予め設定されているダウンロード可能なフォーマットに関する情報と比較することにより、ピックアップされた前記画像データがダウンロード可能か否かを判定する判定手段と、
前記判定手段により１つの前記画像データがダウンロード可能であると判定される度に、前記判定情報に含まれる前記URLにアクセスして、前記第２の情報処理装置に対して、１つの前記画像データの送信を要求する第４の要求手段と、
前記第２の情報処理装置より送信された前記画像データを記録媒体に記録する記録手段と
を備え、
前記第２の情報処理装置は、
前記画像データを前記ユーザ毎に複数のグループに分類して保存する保存手段と、
前記第１の情報処理装置からのアクセスを受け付け、前記第１の情報処理装置の前記ユーザを特定する特定手段と、
前記第１の情報処理装置からの前記グループのリストの送信要求に基づいて、特定されたユーザに対応する前記グループのリストを前記第１の情報処理装置に送信する第１の送信手段と、
前記第１の情報処理装置からの前記画像の索引の送信要求に基づいて、前記画像の索引を前記第１の情報処理装置に送信する第２の送信手段と、
前記第１の情報処理装置からの前記判定情報の送信要求に基づいて、前記画像データのファイルサイズとフォーマットの種類に関する情報を含んでいる前記判定情報を前記第１の情報処理装置に送信する第３の送信手段と、
前記第１の情報処理装置から前記画像データの送信要求を受信する度に、当該送信要求に応じた前記画像データであって、前記第１の情報処理装置において前記判定情報に基づいてダウンロード可能であると判定された１つの前記画像データを前記第１の情報処理装置に送信する第４の送信手段と
を備える
ことを特徴とする情報処理システム。
【請求項２】
前記画像の索引は、前記画像のサムネイル画像を含む
ことを特徴とする請求項１に記載の情報処理システム。
【請求項３】
ユーザの操作に応じて、画像データを送受信する情報処理装置において、
ユーザ毎に複数の画像データを複数のグループに分類して保存している他の情報処理装置に、ネットワークを介して、前記ユーザに対応する前記グループのリストの送信を要求する第１の要求手段と、
前記他の情報処理装置から送信された前記ユーザに対応する前記グループのリストを表示し、前記ユーザによる、前記グループの選択を受け付ける第１の受付手段と、
前記他の情報処理装置に、前記第１の受付手段により受け付けられた前記グループに分類されている前記画像データに対応する画像の索引の送信を要求する第２の要求手段と、
前記他の情報処理装置より送信された前記画像の索引を表示し、前記ユーザによる、ダウンロードを希望する１以上の前記画像の選択を受け付ける第２の受付手段と、
前記他の情報処理装置に対して、前記第２の受付手段により選択が受け付けられた前記画像に対応する前記画像データのファイルサイズおよび前記画像データのフォーマットの種類に関する情報、並びに前記画像データに対応するURLを含んでいる判定情報の送信を要求する第３の要求手段と、
前記第２の受付手段により受け付けられた１以上の前記画像に対応する前記画像データの中から、１ずつ前記画像データをピックアップし、前記他の情報処理装置より送信されてきた前記判定情報に含まれる前記画像データのファイルサイズを前記記録媒体の空き記憶容量と比較するとともに、前記判定情報に含まれる前記画像データのフォーマットの種類に関する情報を予め設定されているダウンロード可能なフォーマットに関する情報と比較することにより、ピックアップされた前記画像データがダウンロード可能か否かを判定する判定手段と、
前記判定手段により１つの前記画像データがダウンロード可能であると判定される度に、前記判定情報に含まれる前記URLにアクセスして、前記他の情報処理装置に対して、１つの前記画像データの送信を要求する第４の要求手段と、
前記他の情報処理装置より送信された前記画像データを記録媒体に記録する記録手段と
を備えることを特徴とする情報処理装置。
【請求項４】
前記画像の索引は、前記画像のサムネイル画像を含む
ことを特徴とする請求項３に記載の情報処理装置。
【請求項５】
被写体を撮影する撮影手段を
さらに備えることを特徴とする請求項３に記載の情報処理装置。
【請求項６】
前記ネットワークはインターネットである
ことを特徴とする請求項３に記載の情報処理装置。
【請求項７】
ユーザの操作に応じて、画像データを送受信する情報処理装置の情報処理方法において、
ユーザ毎に複数の画像データを複数のグループに分類して保存している他の情報処理装置に、ネットワークを介して、前記ユーザに対応する前記グループのリストの送信を要求する第１の要求ステップと、
前記他の情報処理装置から送信された前記ユーザに対応する前記グループのリストを表示し、前記ユーザによる、前記グループの選択を受け付ける第１の受付ステップと、
前記他の情報処理装置に、前記第１の受付ステップの処理により受け付けられた前記グループに分類されている前記画像データに対応する画像の索引の送信を要求する第２の要求ステップと、
前記他の情報処理装置より送信された前記画像の索引を表示し、前記ユーザによる、ダウンロードを希望する１以上の前記画像の選択を受け付ける第２の受付ステップと、
前記他の情報処理装置に対して、前記第２の受付ステップの処理により選択が受け付けられた前記画像に対応する前記画像データのファイルサイズおよび前記画像データのフォーマットの種類に関する情報、並びに前記画像データに対応するURLを含んでいる判定情報の送信を要求する第３の要求ステップと、
前記第２の受付ステップの処理により受け付けられた１以上の前記画像に対応する前記画像データの中から、１ずつ前記画像データをピックアップし、前記他の情報処理装置より送信されてきた前記判定情報に含まれる前記画像データのファイルサイズを前記記録媒体の空き記憶容量と比較するとともに、前記判定情報に含まれる前記画像データのフォーマットの種類に関する情報を予め設定されているダウンロード可能なフォーマットに関する情報と比較することにより、ピックアップされた前記画像データがダウンロード可能か否かを判定する判定ステップと、
前記判定ステップの処理により１つの前記画像データがダウンロード可能であると判定される度に、前記判定情報に含まれる前記URLにアクセスして、前記他の情報処理装置に対して、１つの前記画像データの送信を要求する第４の要求ステップと、
前記他の情報処理装置より送信された前記画像データを記録媒体に記録する記録ステップと
を含むことを特徴とする情報処理方法。
【請求項８】
ユーザの操作に応じて、画像データを送受信する情報処理用のプログラムであって、
ユーザ毎に複数の画像データを複数のグループに分類して保存している他の情報処理装置に、ネットワークを介して、前記ユーザに対応する前記グループのリストの送信を要求する第１の要求ステップと、
前記他の情報処理装置から送信された前記ユーザに対応する前記グループのリストを表示し、前記ユーザによる、前記グループの選択を受け付ける第１の受付ステップと、
前記他の情報処理装置に、前記第１の受付ステップの処理により受け付けられた前記グループに分類されている前記画像データに対応する画像の索引の送信を要求する第２の要求ステップと、
前記他の情報処理装置より送信された前記画像の索引を表示し、前記ユーザによる、ダウンロードを希望する１以上の前記画像の選択を受け付ける第２の受付ステップと、
前記他の情報処理装置に対して、前記第２の受付ステップの処理により選択が受け付けられた前記画像に対応する前記画像データのファイルサイズおよび前記画像データのフォーマットの種類に関する情報、並びに前記画像データに対応するURLを含んでいる判定情報の送信を要求する第３の要求ステップと、
前記第２の受付ステップの処理により受け付けられた１以上の前記画像に対応する前記画像データの中から、１ずつ前記画像データをピックアップし、前記他の情報処理装置より送信されてきた前記判定情報に含まれる前記画像データのファイルサイズを前記記録媒体の空き記憶容量と比較するとともに、前記判定情報に含まれる前記画像データのフォーマットの種類に関する情報を予め設定されているダウンロード可能なフォーマットに関する情報と比較することにより、ピックアップされた前記画像データがダウンロード可能か否かを判定する判定ステップと、
前記判定ステップの処理により１つの前記画像データがダウンロード可能であると判定される度に、前記判定情報に含まれる前記URLにアクセスして、前記他の情報処理装置に対して、１つの前記画像データの送信を要求する第４の要求ステップと、
前記他の情報処理装置より送信された前記画像データを記録媒体に記録する記録ステップと
を含むことを特徴とするコンピュータが読み取り可能なプログラムが記録されている記録媒体。
【請求項９】
ユーザの操作に応じて、画像データを送受信する情報処理を、コンピュータに行わせるプログラムにおいて、
ユーザ毎に複数の画像データを複数のグループに分類して保存している他の情報処理装置に、ネットワークを介して、前記ユーザに対応する前記グループのリストの送信を要求する第１の要求ステップと、
前記他の情報処理装置から送信された前記ユーザに対応する前記グループのリストを表示し、前記ユーザによる、前記グループの選択を受け付ける第１の受付ステップと、
前記他の情報処理装置に、前記第１の受付ステップの処理により受け付けられた前記グループに分類されている前記画像データに対応する画像の索引の送信を要求する第２の要求ステップと、
前記他の情報処理装置より送信された前記画像の索引を表示し、前記ユーザによる、ダウンロードを希望する１以上の前記画像の選択を受け付ける第２の受付ステップと、
前記他の情報処理装置に対して、前記第２の受付ステップの処理により選択が受け付けられた前記画像に対応する前記画像データのファイルサイズおよび前記画像データのフォーマットの種類に関する情報、並びに前記画像データに対応するURLを含んでいる判定情報の送信を要求する第３の要求ステップと、
前記第２の受付ステップの処理により受け付けられた１以上の前記画像に対応する前記画像データの中から、１ずつ前記画像データをピックアップし、前記他の情報処理装置より送信されてきた前記判定情報に含まれる前記画像データのファイルサイズを前記記録媒体の空き記憶容量と比較するとともに、前記判定情報に含まれる前記画像データのフォーマットの種類に関する情報を予め設定されているダウンロード可能なフォーマットに関する情報と比較することにより、ピックアップされた前記画像データがダウンロード可能か否かを判定する判定ステップと、
前記判定ステップの処理により１つの前記画像データがダウンロード可能であると判定される度に、前記判定情報に含まれる前記URLにアクセスして、前記他の情報処理装置に対して、１つの前記画像データの送信を要求する第４の要求ステップと、
前記他の情報処理装置より送信された前記画像データを記録媒体に記録する記録ステップと
をコンピュータに実行させるプログラム。
【請求項１０】
画像データを送受信する他の情報処理装置から送信されてきた画像データを、ユーザ毎に複数の前記画像データを複数のグループに分類して保存する保存手段と、
前記他の情報処理装置からのアクセスを受け付け、前記他の情報処理装置のユーザを特定する特定手段と、
前記他の情報処理装置からの前記グループのリストの送信要求に基づいて、特定されたユーザに対応する前記グループのリストを前記他の情報処理装置に送信する第１の送信手段と、
前記他の情報処理装置からの画像の索引の送信要求に基づいて、前記画像の索引を前記他の情報処理装置に送信する第２の送信手段と、
前記他の情報処理装置からの判定情報の送信要求に基づいて、前記画像データのファイルサイズとフォーマットの種類に関する情報を含んでいる前記判定情報を前記他の情報処理装置に送信する第３の送信手段と、
前記他の情報処理装置から画像データの送信要求を受信する度に、前記保存手段に保存されている前記画像データの中から、当該送信要求に応じた前記画像データであって、前記他の情報処理装置において前記判定情報に基づいてダウンロード可能であると判定された１つの所定の前記画像データを前記他の情報処理装置に送信する第４の送信手段と
を備えることを特徴とする情報処理装置。
【請求項１１】
画像データを送受信する他の情報処理装置から送信されてきた画像データを、ユーザ毎に複数の前記画像データを複数のグループに分類して保存する保存ステップと、
前記他の情報処理装置からのアクセスを受け付け、前記他の情報処理装置のユーザを特定する特定ステップと、
前記他の情報処理装置からの前記グループのリストの送信要求に基づいて、特定されたユーザに対応する前記グループのリストを前記他の情報処理装置に送信する第１の送信ステップと、
前記他の情報処理装置からの画像の索引の送信要求に基づいて、前記画像の索引を前記他の情報処理装置に送信する第２の送信ステップと、
前記他の情報処理装置からの判定情報の送信要求に基づいて、前記画像データのファイルサイズとフォーマットの種類に関する情報を含んでいる前記判定情報を前記他の情報処理装置に送信する第３の送信ステップと、
前記他の情報処理装置から画像データの送信要求を受信する度に、前記保存ステップの処理で保存されている前記画像データの中から、当該送信要求に応じた前記画像データであって、前記他の情報処理装置において前記判定情報に基づいてダウンロード可能であると判定された１つの所定の前記画像データを前記他の情報処理装置に送信する第４の送信ステップと
を含むことを特徴とする情報処理方法。
【請求項１２】
画像データを送受信する他の情報処理装置から送信されてきた画像データを、ユーザ毎に複数の前記画像データを複数のグループに分類して保存する保存ステップと、
前記他の情報処理装置からのアクセスを受け付け、前記他の情報処理装置のユーザを特定する特定ステップと、
前記他の情報処理装置からの前記グループのリストの送信要求に基づいて、特定されたユーザに対応する前記グループのリストを前記他の情報処理装置に送信する第１の送信ステップと、
前記他の情報処理装置からの画像の索引の送信要求に基づいて、前記画像の索引を前記他の情報処理装置に送信する第２の送信ステップと、
前記他の情報処理装置からの判定情報の送信要求に基づいて、前記画像データのファイルサイズとフォーマットの種類に関する情報を含んでいる前記判定情報を前記他の情報処理装置に送信する第３の送信ステップと、
前記他の情報処理装置から画像データの送信要求を受信する度に、前記保存ステップの処理で保存されている前記画像データの中から、当該送信要求に応じた前記画像データであって、前記他の情報処理装置において前記判定情報に基づいてダウンロード可能であると判定された１つの所定の前記画像データを前記他の情報処理装置に送信する第４の送信ステップと
を含むことを特徴とするコンピュータが読み取り可能なプログラムが記録されている記録媒体。
【請求項１３】
画像データを送受信する他の情報処理装置から送信されてきた画像データを、ユーザ毎に複数の前記画像データを複数のグループに分類して保存する保存ステップと、
前記他の情報処理装置からのアクセスを受け付け、前記他の情報処理装置のユーザを特定する特定ステップと、
前記他の情報処理装置からの前記グループのリストの送信要求に基づいて、特定されたユーザに対応する前記グループのリストを前記他の情報処理装置に送信する第１の送信ステップと、
前記他の情報処理装置からの画像の索引の送信要求に基づいて、前記画像の索引を前記他の情報処理装置に送信する第２の送信ステップと、
前記他の情報処理装置からの判定情報の送信要求に基づいて、前記画像データのファイルサイズとフォーマットの種類に関する情報を含んでいる前記判定情報を前記他の情報処理装置に送信する第３の送信ステップと、
前記他の情報処理装置から画像データの送信要求を受信する度に、前記保存ステップの処理で保存されている前記画像データの中から、当該送信要求に応じた前記画像データであって、前記他の情報処理装置において前記判定情報に基づいてダウンロード可能であると判定された１つの所定の前記画像データを前記他の情報処理装置に送信する第４の送信ステップと
をコンピュータに実行させるプログラム。
【発明の詳細な説明】
【０００１】
【発明の属する技術分野】
本発明は、情報処理システム、情報処理装置および方法、記録媒体、並びにプログラムに関し、特に、データベースに蓄えられた画像データを効率的にダウンロードすることができるようにした情報処理システム、情報処理装置および方法、記録媒体、並びにプログラムに関する。
【０００２】
【従来の技術】
ネットワーク上でアルバムを提供するサービス、すなわち、ユーザが撮影装置を用いて撮影した静止画像や動画などの画像データを、ネットワークを介して、データベースに保存させるサービスを、ユーザに提供する事業者（以下、アルバムサービス提供事業者と称する）がある。このサービスの概要について、図１を参照して説明する。
【０００３】
ユーザが使用するパーソナルコンピュータ１は、アルバムサービス提供事業者のサーバ２と、インターネット３を介して接続されている。
【０００４】
ユーザが撮影装置(不図示)を用いて撮影した画像データは、記録媒体に記録される。パーソナルコンピュータ１は、例えば、この記録媒体から画像データを取り込む。また、パーソナルコンピュータ１は、インターネット３に接続し、図示せぬ情報提供サーバなどから画像データを取り込む。
【０００５】
パーソナルコンピュータ１は、例えば上述したような方法で取り込んだ画像データを、インターネット３を介してアルバムサービス提供事業者のサーバ２にアクセスし、そのデータベースに保存することができる。また、パーソナルコンピュータ１は、サーバ２のデータベースに保存している画像データを閲覧したり、削除したり、電子メールに添付して他の人に送信したりするとことができる。さらに、ユーザは、必要に応じて、所望の画像データを、サーバ２のデータベースからパーソナルコンピュータ１にダウンロードすることができる。
【０００６】
【発明が解決しようとする課題】
しかしながら、撮影装置で撮影した画像データを、サーバ２にアップロードする場合、並びに、データベースに保存してある画像データをダウンロードする場合、ユーザは、対象となる画像を１枚ずつ指定して、１枚ずつアップロードまたはダウンロードする必要があり、手間がかかるという課題があった。
【０００７】
また、パーソナルコンピュータの操作は煩雑なため、パーソナルコンピュータの使用方法に不慣れなユーザは、容易にはサービスの提供を受けられないという課題があった。
【０００８】
本発明は、このような状況に鑑みてなされたものであり、撮影装置を用いて、簡単に、画像データをダウンロードできるようにするものである。
【０００９】
【課題を解決するための手段】
本発明の情報処理システムは、第１の情報処理装置は、ネットワークを介して第２の情報処理装置に、ユーザに対応する画像データを分類するグループのリストの送信を要求する第１の要求手段と、第２の情報処理装置から送信されたユーザに対応するグループのリストを表示し、ユーザによる、グループの選択を受け付ける第１の受付手段と、第２の情報処理装置に、第１の受付手段により受け付けられたグループに分類されている画像データに対応する画像の索引の送信を要求する第２の要求手段と、第２の情報処理装置より送信された画像の索引を表示し、ユーザによる、ダウンロードを希望する１以上の画像の選択を受け付ける第２の受付手段と、第２の情報処理装置に対して、受付手段により選択が受け付けられた画像に対応する画像データのファイルサイズおよび画像データのフォーマットの種類に関する情報、並びに画像データに対応するURLを含んでいる判定情報の送信を要求する第３の要求手段と、第２の受付手段により受け付けられた１以上の画像に対応する画像データの中から、１ずつ画像データをピックアップし、第２の情報処理装置より送信されてきた判定情報に含まれる画像データのファイルサイズを記録媒体の空き記憶容量と比較するとともに、判定情報に含まれる画像データのフォーマットの種類に関する情報を予め設定されているダウンロード可能なフォーマットに関する情報と比較することにより、ピックアップされた画像データがダウンロード可能か否かを判定する判定手段と、判定手段により１つの画像データがダウンロード可能であると判定される度に、判定情報に含まれるURLにアクセスして、第２の情報処理装置に対して、１つの画像データの送信を要求する第４の要求手段と、第２の情報処理装置より送信された画像データを記録媒体に記録する記録手段とを備え、第２の情報処理装置は、画像データをユーザ毎に複数のグループに分類して保存する保存手段と、第１の情報処理装置からのアクセスを受け付け、第１の情報処理装置のユーザを特定する特定手段と、第１の情報処理装置からのグループのリストの送信要求に基づいて、特定されたユーザに対応するグループのリストを第１の情報処理装置に送信する第１の送信手段と、第１の情報処理装置からの画像の索引の送信要求に基づいて、画像の索引を第１の情報処理装置に送信する第２の送信手段と、第１の情報処理装置からの判定情報の送信要求に基づいて、画像データのファイルサイズとフォーマットの種類に関する情報を含んでいる判定情報を第１の情報処理装置に送信する第３の送信手段と、第１の情報処理装置から画像データの送信要求を受信する度に、当該送信要求に応じた画像データであって、第１の情報処理装置において判定情報に基づいてダウンロード可能であると判定された１つの画像データを第１の情報処理装置に送信する第４の送信手段とを備えることを特徴とする。
【００１０】
前記画像の索引は、前記画像のサムネイル画像を含むようにすることができる。
【００１３】
本発明の第１の情報処理装置は、ユーザ毎に複数の画像データを複数のグループに分類して保存している他の情報処理装置に、ネットワークを介して、ユーザに対応するグループのリストの送信を要求する第１の要求手段と、他の情報処理装置から送信されたユーザに対応するグループのリストを表示し、ユーザによる、グループの選択を受け付ける第１の受付手段と、他の情報処理装置に、第１の受付手段により受け付けられたグループに分類されている画像データに対応する画像の索引の送信を要求する第２の要求手段と、他の情報処理装置より送信された画像の索引を表示し、ユーザによる、ダウンロードを希望する１以上の画像の選択を受け付ける第２の受付手段と、他の情報処理装置に対して、第２の受付手段により選択が受け付けられた画像に対応する画像データのファイルサイズおよび画像データのフォーマットの種類に関する情報、並びに画像データに対応するURLを含んでいる判定情報の送信を要求する第３の要求手段と、第２の受付手段により受け付けられた１以上の画像に対応する画像データの中から、１ずつ画像データをピックアップし、他の情報処理装置より送信されてきた判定情報に含まれる画像データのファイルサイズを記録媒体の空き記憶容量と比較するとともに、判定情報に含まれる画像データのフォーマットの種類に関する情報を予め設定されているダウンロード可能なフォーマットに関する情報と比較することにより、ピックアップされた画像データがダウンロード可能か否かを判定する判定手段と、判定手段により１つの画像データがダウンロード可能であると判定される度に、判定情報に含まれるURLにアクセスして、他の情報処理装置に対して、１つの画像データの送信を要求する第４の要求手段と、他の情報処理装置より送信された画像データを記録媒体に記録する記録手段とを備えることを特徴とする。
【００１４】
前記画像の索引は、前記画像のサムネイル画像を含むようにすることができる。
【００２０】
被写体を撮影する撮影手段をさらに備えるようにすることができる。
【００２１】
前記ネットワークはインターネットであるようにすることができる。
【００２３】
本発明の第１の情報処理方法は、ユーザ毎に複数の画像データを複数のグループに分類して保存している他の情報処理装置に、ネットワークを介して、ユーザに対応するグループのリストの送信を要求する第１の要求ステップと、他の情報処理装置から送信されたユーザに対応するグループのリストを表示し、ユーザによる、グループの選択を受け付ける第１の受付ステップと、他の情報処理装置に、第１の受付ステップの処理により受け付けられたグループに分類されている画像データに対応する画像の索引の送信を要求する第２の要求ステップと、他の情報処理装置より送信された画像の索引を表示し、ユーザによる、ダウンロードを希望する１以上の画像の選択を受け付ける第２の受付ステップと、他の情報処理装置に対して、第２の受付ステップの処理により選択が受け付けられた画像に対応する画像データのファイルサイズおよび画像データのフォーマットの種類に関する情報、並びに画像データに対応するURLを含んでいる判定情報の送信を要求する第３の要求ステップと、第２の受付ステップの処理により受け付けられた１以上の画像に対応する画像データの中から、１ずつ画像データをピックアップし、他の情報処理装置より送信されてきた判定情報に含まれる画像データのファイルサイズを記録媒体の空き記憶容量と比較するとともに、判定情報に含まれる画像データのフォーマットの種類に関する情報を予め設定されているダウンロード可能なフォーマットに関する情報と比較することにより、ピックアップされた画像データがダウンロード可能か否かを判定する判定ステップと、判定ステップの処理により１つの画像データがダウンロード可能であると判定される度に、判定情報に含まれるURLにアクセスして、他の情報処理装置に対して、１つの画像データの送信を要求する第４の要求ステップと、他の情報処理装置より送信された画像データを記録媒体に記録する記録ステップとを含むことを特徴とする。
【００２４】
本発明の第１の記録媒体のプログラムは、ユーザ毎に複数の画像データを複数のグループに分類して保存している他の情報処理装置に、ネットワークを介して、ユーザに対応するグループのリストの送信を要求する第１の要求ステップと、他の情報処理装置から送信されたユーザに対応するグループのリストを表示し、ユーザによる、グループの選択を受け付ける第１の受付ステップと、他の情報処理装置に、第１の受付ステップの処理により受け付けられたグループに分類されている画像データに対応する画像の索引の送信を要求する第２の要求ステップと、他の情報処理装置より送信された画像の索引を表示し、ユーザによる、ダウンロードを希望する１以上の画像の選択を受け付ける第２の受付ステップと、他の情報処理装置に対して、第２の受付ステップの処理により選択が受け付けられた画像に対応する画像データのファイルサイズおよび画像データのフォーマットの種類に関する情報、並びに画像データに対応するURLを含んでいる判定情報の送信を要求する第３の要求ステップと、第２の受付ステップの処理により受け付けられた１以上の画像に対応する画像データの中から、１ずつ画像データをピックアップし、他の情報処理装置より送信されてきた判定情報に含まれる画像データのファイルサイズを記録媒体の空き記憶容量と比較するとともに、判定情報に含まれる画像データのフォーマットの種類に関する情報を予め設定されているダウンロード可能なフォーマットに関する情報と比較することにより、ピックアップされた画像データがダウンロード可能か否かを判定する判定ステップと、判定ステップの処理により１つの画像データがダウンロード可能であると判定される度に、判定情報に含まれるURLにアクセスして、他の情報処理装置に対して、１つの画像データの送信を要求する第４の要求ステップと、他の情報処理装置より送信された画像データを記録媒体に記録する記録ステップとを含むことを特徴とする。
【００２５】
本発明の第１のプログラムは、ユーザ毎に複数の画像データを複数のグループに分類して保存している他の情報処理装置に、ネットワークを介して、ユーザに対応するグループのリストの送信を要求する第１の要求ステップと、他の情報処理装置から送信されたユーザに対応するグループのリストを表示し、ユーザによる、グループの選択を受け付ける第１の受付ステップと、他の情報処理装置に、第１の受付ステップの処理により受け付けられたグループに分類されている画像データに対応する画像の索引の送信を要求する第２の要求ステップと、他の情報処理装置より送信された画像の索引を表示し、ユーザによる、ダウンロードを希望する１以上の画像の選択を受け付ける第２の受付ステップと、他の情報処理装置に対して、第２の受付ステップの処理により選択が受け付けられた画像に対応する画像データのファイルサイズおよび画像データのフォーマットの種類に関する情報、並びに画像データに対応するURLを含んでいる判定情報の送信を要求する第３の要求ステップと、第２の受付ステップの処理により受け付けられた１以上の画像に対応する画像データの中から、１ずつ画像データをピックアップし、他の情報処理装置より送信されてきた判定情報に含まれる画像データのファイルサイズを記録媒体の空き記憶容量と比較するとともに、判定情報に含まれる画像データのフォーマットの種類に関する情報を予め設定されているダウンロード可能なフォーマットに関する情報と比較することにより、ピックアップされた画像データがダウンロード可能か否かを判定する判定ステップと、判定ステップの処理により１つの画像データがダウンロード可能であると判定される度に、判定情報に含まれるURLにアクセスして、他の情報処理装置に対して、１つの画像データの送信を要求する第４の要求ステップと、他の情報処理装置より送信された画像データを記録媒体に記録する記録ステップとをコンピュータに実行させる。
【００２６】
本発明の第２の情報処理装置は、画像データを送受信する他の情報処理装置から送信されてきた画像データを、ユーザ毎に複数の画像データを複数のグループに分類して保存する保存手段と、他の情報処理装置からのアクセスを受け付け、他の情報処理装置のユーザを特定する特定手段と、他の情報処理装置からのグループのリストの送信要求に基づいて、特定されたユーザに対応するグループのリストを他の情報処理装置に送信する第１の送信手段と、他の情報処理装置からの画像の索引の送信要求に基づいて、画像の索引を他の情報処理装置に送信する第２の送信手段と、他の情報処理装置からの判定情報の送信要求に基づいて、画像データのファイルサイズとフォーマットの種類に関する情報を含んでいる判定情報を他の情報処理装置に送信する第３の送信手段と、他の情報処理装置から画像データの送信要求を受信する度に、保存手段に保存されている画像データの中から、当該送信要求に応じた画像データであって、他の情報処理装置において判定情報に基づいてダウンロード可能であると判定された１つの所定の画像データを他の情報処理装置に送信する第４の送信手段とを備えることを特徴とする。
【００２８】
本発明の第２の情報処理方法は、画像データを送受信する他の情報処理装置から送信されてきた画像データを、ユーザ毎に複数の画像データを複数のグループに分類して保存する保存ステップと、他の情報処理装置からのアクセスを受け付け、他の情報処理装置のユーザを特定する特定ステップと、他の情報処理装置からのグループのリストの送信要求に基づいて、特定されたユーザに対応するグループのリストを他の情報処理装置に送信する第１の送信ステップと、他の情報処理装置からの画像の索引の送信要求に基づいて、画像の索引を他の情報処理装置に送信する第２の送信ステップと、他の情報処理装置からの判定情報の送信要求に基づいて、画像データのファイルサイズとフォーマットの種類に関する情報を含んでいる判定情報を他の情報処理装置に送信する第３の送信ステップと、他の情報処理装置から画像データの送信要求を受信する度に、保存ステップの処理で保存されている画像データの中から、当該送信要求に応じた画像データであって、他の情報処理装置において判定情報に基づいてダウンロード可能であると判定された１つの所定の画像データを他の情報処理装置に送信する第４の送信ステップとを含むことを特徴とする。
【００２９】
本発明の第２の記録媒体のプログラムは、画像データを送受信する他の情報処理装置から送信されてきた画像データを、ユーザ毎に複数の画像データを複数のグループに分類して保存する保存ステップと、他の情報処理装置からのアクセスを受け付け、他の情報処理装置のユーザを特定する特定ステップと、他の情報処理装置からのグループのリストの送信要求に基づいて、特定されたユーザに対応するグループのリストを他の情報処理装置に送信する第１の送信ステップと、他の情報処理装置からの画像の索引の送信要求に基づいて、画像の索引を他の情報処理装置に送信する第２の送信ステップと、他の情報処理装置からの判定情報の送信要求に基づいて、画像データのファイルサイズとフォーマットの種類に関する情報を含んでいる判定情報を他の情報処理装置に送信する第３の送信ステップと、他の情報処理装置から画像データの送信要求を受信する度に、保存ステップの処理で保存されている画像データの中から、当該送信要求に応じた画像データであって、他の情報処理装置において判定情報に基づいてダウンロード可能であると判定された１つの所定の画像データを他の情報処理装置に送信する第４の送信ステップとを含むことを特徴とする。
【００３０】
本発明の第２のプログラムは、画像データを送受信する他の情報処理装置から送信されてきた画像データを、ユーザ毎に複数の画像データを複数のグループに分類して保存する保存ステップと、他の情報処理装置からのアクセスを受け付け、他の情報処理装置のユーザを特定する特定ステップと、他の情報処理装置からのグループのリストの送信要求に基づいて、特定されたユーザに対応するグループのリストを他の情報処理装置に送信する第１の送信ステップと、他の情報処理装置からの画像の索引の送信要求に基づいて、画像の索引を他の情報処理装置に送信する第２の送信ステップと、他の情報処理装置からの判定情報の送信要求に基づいて、画像データのファイルサイズとフォーマットの種類に関する情報を含んでいる判定情報を他の情報処理装置に送信する第３の送信ステップと、他の情報処理装置から画像データの送信要求を受信する度に、保存ステップの処理で保存されている画像データの中から、当該送信要求に応じた画像データであって、他の情報処理装置において判定情報に基づいてダウンロード可能であると判定された１つの所定の画像データを他の情報処理装置に送信する第４の送信ステップとをコンピュータに実行させる。
【００３１】
本発明の第１の情報処理システムにおいては、第１の情報処理装置では、ネットワークを介して第２の情報処理装置に、ユーザに対応する画像データを分類するグループのリストの送信が要求され、第２の情報処理装置から送信されたユーザに対応するグループのリストを表示し、ユーザによる、グループの選択が受け付けられ、第２の情報処理装置に、受け付けられたグループに分類されている画像データに対応する画像の索引の送信が要求され、第２の情報処理装置より送信された画像の索引を表示し、ユーザによる、ダウンロードを希望する１以上の画像の選択が受け付けられ、第２の情報処理装置に対して、選択が受け付けられた画像に対応する画像データのファイルサイズおよび画像データのフォーマットの種類に関する情報、並びに画像データに対応するURLを含んでいる判定情報の送信が要求され、受け付けられた１以上の画像に対応する画像データの中から、１ずつ画像データをピックアップし、第２の情報処理装置より送信されてきた判定情報に含まれる画像データのファイルサイズを記録媒体の空き記憶容量と比較するとともに、判定情報に含まれる画像データのフォーマットの種類に関する情報を予め設定されているダウンロード可能なフォーマットに関する情報と比較することにより、ピックアップされた画像データがダウンロード可能か否かが判定され、１つの画像データがダウンロード可能であると判定される度に、判定情報に含まれるURLにアクセスして、第２の情報処理装置に対して、１つの画像データの送信が要求され、第２の情報処理装置より送信された画像データが記録媒体に記録され、第２の情報処理装置では、画像データがユーザ毎に複数のグループに分類して保存され、第１の情報処理装置からのアクセスを受け付け、第１の情報処理装置のユーザが特定され、第１の情報処理装置からのグループのリストの送信要求に基づいて、特定されたユーザに対応するグループのリストが第１の情報処理装置に送信され、第１の情報処理装置からの画像の索引の送信要求に基づいて、画像の索引が第１の情報処理装置に送信され、第１の情報処理装置からの判定情報の送信要求に基づいて、画像データのファイルサイズとフォーマットの種類に関する情報を含んでいる判定情報が第１の情報処理装置に送信され、第１の情報処理装置から画像データの送信要求を受信する度に、当該送信要求に応じた画像データであって、第１の情報処理装置において判定情報に基づいてダウンロード可能であると判定された１つの画像データが第１の情報処理装置に送信される。
【００３２】
本発明の第１の情報処理装置および方法、記録媒体、並びにプログラムにおいては、ユーザ毎に複数の画像データを複数のグループに分類して保存している他の情報処理装置に、ネットワークを介して、ユーザに対応するグループのリストの送信が要求され、他の情報処理装置から送信されたユーザに対応するグループのリストを表示し、ユーザによる、グループの選択が受け付けられ、他の情報処理装置に、受け付けられたグループに分類されている画像データに対応する画像の索引の送信が要求され、他の情報処理装置より送信された画像の索引を表示し、ユーザによる、ダウンロードを希望する１以上の画像の選択が受け付けられ、他の情報処理装置に対して、選択が受け付けられた画像に対応する画像データのファイルサイズおよび画像データのフォーマットの種類に関する情報、並びに画像データに対応するURLを含んでいる判定情報の送信が要求され、受け付けられた１以上の画像に対応する画像データの中から、１ずつ画像データをピックアップし、他の情報処理装置より送信されてきた判定情報に含まれる画像データのファイルサイズを記録媒体の空き記憶容量と比較するとともに、判定情報に含まれる画像データのフォーマットの種類に関する情報を予め設定されているダウンロード可能なフォーマットに関する情報と比較することにより、ピックアップされた画像データがダウンロード可能か否かが判定され、１つの画像データがダウンロード可能であると判定される度に、判定情報に含まれるURLにアクセスして、他の情報処理装置に対して、１つの画像データの送信が要求され、他の情報処理装置より送信された画像データが記録媒体に記録される。
【００３３】
本発明の第２の情報処理装置および方法、記録媒体、並びにプログラムにおいては、画像データを送受信する他の情報処理装置から送信されてきた画像データが、ユーザ毎に複数の画像データを複数のグループに分類して保存され、他の情報処理装置からのアクセスを受け付け、他の情報処理装置のユーザが特定され、他の情報処理装置からのグループのリストの送信要求に基づいて、特定されたユーザに対応するグループのリストが他の情報処理装置に送信され、他の情報処理装置からの画像の索引の送信要求に基づいて、画像の索引が他の情報処理装置に送信され、他の情報処理装置からの判定情報の送信要求に基づいて、画像データのファイルサイズとフォーマットの種類に関する情報を含んでいる判定情報が他の情報処理装置に送信され、他の情報処理装置から画像データの送信要求を受信する度に、保存されている画像データの中から、当該送信要求に応じた画像データであって、他の情報処理装置において判定情報に基づいてダウンロード可能であると判定された１つの所定の画像データが他の情報処理装置に送信される。
【００３４】
【発明の実施の形態】
図２は、本発明を適用したサービス提供システムの構成例を表している。このサービス提供システムにおいては、インターネット１０に対して、ネットワークシステム１４、ネットワークサービスビジネスセンタ１５、イメージステーションサーバ１６、インターネットサービスプロバイダ（ISP）１７，１８、情報提供サーバ１９、並びに検索サーバ２０が接続されている。
【００３５】
また、これらのネットワークシステム１４、インターネットサービスプロバイダ１７、並びにインターネットサービスプロバイダ１８は、公衆回線網１３に接続されており、この公衆回線網１３には、ブルートゥースアダプタ１２もさらに接続されている。ビデオカメラ１１は、ブルートゥース（商標）による近距離無線通信により、ブルートゥースアダプタ１２に接続し、そこから公衆回線網１３を介して、ネットワークシステム１４、インターネットサービスプロバイダ１７、あるいはインターネットサービスプロバイダ１８に接続することが可能とされている。
【００３６】
ネットワークシステム１４は、アクセスポイント（AP）３１、カスタマデータベース（C-DB）３２、カスタマ登録ウェブサーバ３３、並びに登録認証プラットフォーム（Registration Authentication Platform（RAP））３４により構成されている。
【００３７】
アクセスポイント３１は、公衆回線網１３に接続される。カスタマデータベース３２は、ビデオカメラ１１を購入したユーザの各種の情報を登録する。カスタマ登録ウェブサーバ３３は、ビデオカメラ１１の登録処理を制御する。登録認証プラットフォーム３４は、ネットワークシステム１４におけるユーザの認証処理を実行する。
【００３８】
アクセスポイント３１、カスタマデータベース３２、カスタマ登録ウェブサーバ３３、並びに登録認証プラットフォーム３４は、図２の例では、個別に形成されているが、一体的に構成することもできる。
【００３９】
ネットワークサービスビジネスセンタ１５は、ビデオカメラ用イメージステーション４１を有し、このビデオカメラ用イメージステーション４１は、ビデオカメラ１１から送信されてきた画像データを登録、管理する。
【００４０】
イメージステーションサーバ１６は、図示せぬパーソナルコンピュータから送信されてきた画像データを登録、管理する。
【００４１】
インターネットサービスプロバイダ１７は、アクセスポイント５１、カスタマデータベース５２、メールサーバ５３を有している。メールサーバ５３は、さらにPOPサーバ５４とSMTP（Simple Mail Transfer Protocol）サーバ５５を有している。
【００４２】
アクセスポイント５１は、公衆回線網１３との通信処理を行う。カスタマデータベース５２は、インターネットサービスプロバイダ１７のユーザの各種の情報を登録する。POPサーバ５４は、ビデオカメラ１１との間でのメールの送受信の処理を主に管理する。SMTPサーバ５５は、他のSMTPサーバ（この例の場合、インターネットサービスプロバイダ１８のSMTPサーバ６５）との間でのメールの送受信を主に管理する。
【００４３】
インターネットサービスプロバイダ１８は、アクセスポイント６１、カスタマデータベース６２を有するとともに、POPサーバ６４とSMTPサーバ６５からなるメールサーバ６３を有している。この基本的な構成は、インターネットサービスプロバイダ１７における場合と同様である。
【００４４】
情報提供サーバ１９は、例えば、所定の企業の商品に関する各種の情報を提供する。検索サーバ２０は、インターネット１０を介して公開されている各種の情報を検索するサービスを提供する。
【００４５】
図３は、ビデオカメラ１１の構成例を表している。このビデオカメラ１１は、カメラ一体型ビデオテープレコーダであり、インターネット１０に対するアクセス機能を有している。図３において、CPU（Central  Processing  Unit）７１は、ROM（Read  Only  Memory）７２に記憶されているプログラム、またはRAM（Random  Access  Memory）７３にロードされたプログラムに従って各種の処理を実行する。RAM７３にはまた、CPU７１が各種の処理を実行する上において必要なデータなども適宜記憶される。EEPROM（Electrically Erasable Programmable Read Only Memory）７４には、電源オフ後も記憶する必要があるデータが記憶される。
【００４６】
CPU７１、ROM７２、RAM７３、および、EEPROM７４は、バス７５を介して相互に接続されている。このバス７５にはまた、入出力インタフェース７６も接続されている。
【００４７】
入出力インタフェース７６にはまた、各種のボタン、スイッチなどよりなる入力部７７、LCD（Liquid Crystal Display）７８、スピーカ７９、CCD（Charge Coupled Device）撮像素子などより構成される撮像部８０、音声信号を取り込むマイクロホン８１、並びに、ブルートゥースによりブルートゥースアダプタ１２との間で近距離無線通信を行う通信部８２が接続されている。
【００４８】
記録再生部８３は、装着されたカセット磁気テープに、撮像部８０で撮像された映像データと、マイクロホン８１により収音された音声データ等を記録する。また、記録再生部８３は、カセット磁気テープに記録されている映像データと音声データを再生し、映像データに対応する画像をLCD７８に出力し、表示させ、音声データをスピーカ７９に供給し、出力させる。
【００４９】
メモリカードインタフェース８４は、携帯可能な半導体メモリとしてのメモリカード８５が装着されたとき、メモリカード８５に対するデータの書き込み処理と読み出し処理を実行する。メモリカード８５には、撮像部８０で撮像された映像データ並びにマイクロホン８１より収音された音声データが記録できる他、通信部８２からインターネット１０を介して取得した各種のデータなども記憶することができる。
【００５０】
撮像部８０で撮影された映像データは、メモリモードが設定されている場合、メモリカード８５に記憶され、カメラモードが設定されている場合、カセット磁気テープに記録される。
【００５１】
エンコーダ／デコーダ８６は、映像データをMPEG(Moving Picture Experts Group)またはJPEG(Joint Photographic Coding Experts Group)の方式で、エンコードまたはデコードする。
【００５２】
入出力インタフェース７６にはまた、必要に応じてドライブ８７が接続され、磁気ディスク９１、光ディスク９２、光磁気ディスク９３、或いは半導体メモリ９４などが適宜装着され、それらから読み出されたコンピュータプログラムが、必要に応じてRAM７３にインストールされる。
【００５３】
図４は、カスタマ登録ウェブサーバ３３の構成例を表している。図４において、CPU１１１は、ROM１１２に記憶されているプログラム、または記憶部１１８からRAM１１３にロードされたプログラムに従って各種の処理を実行する。RAM１１３にはまた、CPU１１１が各種の処理を実行する上において必要なデータなども適宜記憶される。
【００５４】
CPU１１１、ROM１１２、およびRAM１１３は、バス１１４を介して相互に接続されている。このバス１１４にはまた、入出力インタフェース１１５も接続されている。
【００５５】
入出力インタフェース１１５には、キーボード、マウスなどよりなる入力部１１６、CRT、LCDなどよりなるディスプレイ、並びにスピーカなどよりなる出力部１１７、ハードディスクなどより構成される記憶部１１８、モデム、ターミナルアダプタなどより構成される通信部１１９が接続されている。通信部１１９は、インターネット１０を含むネットワークを介しての通信処理を行う。
【００５６】
入出力インタフェース１１５にはまた、必要に応じてドライブ１２０が接続され、磁気ディスク１３１、光ディスク１３２、光磁気ディスク１３３、或いは半導体メモリ１３４などが適宜装着され、それらから読み出されたコンピュータプログラムが、必要に応じて記憶部１１８にインストールされる。
【００５７】
アクセスポイント３１、カスタマデータベース３２、および登録認証プラットフォーム３４は、カスタマ登録ウェブサーバ３３と個別に形成される場合、図示は省略するが、カスタマ登録ウェブサーバ３３と基本的に同様の構成とされる。
【００５８】
図５は、ネットワークサービスビジネスセンタ１５を構成するビデオカメラ用イメージステーション４１の構成例を表している。このビデオカメラ用イメージステーション４１を構成するCPU１５１乃至半導体メモリ１７４は、図４のカスタマ登録ウェブサーバ３３を構成するCPU１１１乃至半導体メモリ１３４と基本的に同様の構成とされ、対応する名称のものは、対応する機能を有する。従って、それらの説明は、繰り返しになるので省略する。
【００５９】
さらに、図６は、インターネットサービスプロバイダ１７のカスタマデータベース５２の構成例を表している。このカスタマデータベース５２のCPU１９１乃至半導体メモリ２１４も、図４のカスタマ登録ウェブサーバ３３のCPU１１１乃至半導体メモリ１３４と基本的に同様の構成とされ、対応する名称のものは、対応する機能を有するので、その説明は、繰り返しになるので省略する。
【００６０】
アクセスポイント５１並びにメールサーバ５３（POPサーバ５４とSMTPサーバ５５）が、カスタマデータベース５２と個別に形成される場合、これらも基本的に図６のカスタマデータベース５２と同様の構成とされる。
【００６１】
ビデオカメラ１１を購入したユーザは、この図２のサービス提供システムにおけるサービスの提供を受けることができる。そのためには、ビデオカメラ１１のユーザは、ビデオカメラ１１（そのユーザ）をネットワークシステム１４に登録する処理を実行する。ビデオカメラ１１を購入すると、ブルートゥースアダプタ１２が付属しており(付属していない場合は、別途購入し)、ユーザは、このブルートゥースアダプタ１２を公衆回線網１３に接続することで、ネットワークシステム１４にビデオカメラ１１（そのユーザ）を登録することができる。
【００６２】
この登録処理が行われるとき、このサービス提供システムにおいて、図７のフローチャートに示される処理が実行される。すなわち、ステップＳ１において、ネットワークシステム１４によりデジタルイメージカスタマ登録処理が実行され、その後、ステップＳ２において、インターネットサービスプロバイダ１７により、ISP接続登録処理が実行され、さらに、その後、ステップＳ３において、ネットワークサービスビジネスセンタ１５により、アルバム利用登録処理が実行される。
【００６３】
そこで、以下、これらステップＳ１乃至ステップＳ３の処理を個別に説明する。
【００６４】
最初に、図８と図９のフローチャートを参照して、ネットワークシステム１４におけるデジタルイメージカスタマ登録処理について説明する。図８は、この登録処理を行う場合におけるビデオカメラ１１の処理を表し、図９は、それに対応するカスタマ登録ウェブサーバ３３の処理を表している。
【００６５】
ステップＳ１１において、ビデオカメラ１１のユーザは、入力部７７を操作して、ネットワークシステム１４にアクセスを指令する。このアクセス先は、ROM７２に予め記憶されている。CPU７１は、このROM７２に記憶されている情報に基づいて、通信部８２を制御し、ネットワークシステム１４のアクセスポイント３１へのアクセスを指令する。通信部８２は、この指令を受けると、ブルートゥースアダプタ１２と近距離無線通信し、そこから公衆回線網１３を介してネットワークシステム１４のアクセスポイント３１にアクセスする。
【００６６】
この一番最初のネットワークシステム１４へのアクセスには、ゲストIDが利用される。すなわち、ユーザが、例えば、「GUEST」をIDとして入力すると、アクセスポイント３１は、アクセスを許容する。アクセスポイント３１は、ビデオカメラ１１からのアクセスを許容したとき、以後、カスタマ登録ウェブサーバ３３に、ビデオカメラ１１に対する処理の管理権を引き渡す。
【００６７】
カスタマ登録ウェブサーバ３３のCPU１１１は、このとき、図９のステップＳ３１において、ビデオカメラ１１のユーザに対して個人情報の入力を要求する。この要求は、通信部１１９から出力され、アクセスポイント３１、公衆回線網１３、およびブルートゥースアダプタ１２を介して、ビデオカメラ１１に送信される。
【００６８】
ビデオカメラ１１のCPU７１は、通信部８２を介してこの要求を受け取ると、ステップＳ１２において、その要求に対応するメッセージを、LCD７８に出力し、表示させる。
【００６９】
ビデオカメラ１１のユーザは、このメッセージに基づいて、入力部７７を操作して、個人情報を入力する。この個人情報には、ビデオカメラ１１の１６桁の数字とアルファベットからなる登録コード（ビデオカメラ１１を購入したとき、添付されている葉書に記載されている）、ユーザの郵便番号、氏名、住所、生年月日、性別、電話番号、電子メールアドレスなどの他、ビデオカメラ１１の製造番号（シリアル番号）、購入年月日などが含まれる。
【００７０】
ビデオカメラ１１のCPU７１は、ステップＳ１２において、これらの個人情報を入力すると、これをネットワークシステム１４に送信させる。
【００７１】
すなわち、CPU７１は、通信部８２を制御し、入力された個人情報をネットワークシステム１４に送信させる。この個人情報は、ブルートゥースアダプタ１２、公衆回線網１３、アクセスポイント３１を介して、カスタマ登録ウェブサーバ３３に供給される。
【００７２】
カスタマ登録ウェブサーバ３３のCPU１１１は、図９のステップＳ３１において、この個人情報を通信部１１９を介して取得すると、これをRAM１１３に供給し、一時的に記憶させる。
【００７３】
CPU１１１は、RAM１１３に個人情報が登録されると、ステップＳ３２において、個人情報確認画面を生成し、通信部１１９からビデオカメラ１１に送信させる。この個人情報確認画面のデータは、アクセスポイント３１から公衆回線網１３を介して、ブルートゥースアダプタ１２に供給され、ブルートゥースアダプタ１２からビデオカメラ１１に送信される。
【００７４】
ビデオカメラ１１のCPU７１は、図８のステップＳ１３において、通信部８２を介して、この個人情報確認画面のデータを受信すると、RAM７３に一旦これを記憶させた後、これを再び読み出して、LCD７８に出力し、表示させる。これにより、LCD７８には、ビデオカメラ１１のユーザが入力した個人情報が確認のために表示される。
【００７５】
ユーザが、自らが入力した個人情報を確認したことを入力部７７を操作することで入力すると、CPU７１は、この確認信号を通信部８２からカスタマ登録ウェブサーバ３３に送信させる。
【００７６】
カスタマ登録ウェブサーバ３３のCPU１１１は、通信部１１９を介してこの確認信号を受け取ると、図９のステップＳ３２において、RAM１１３に登録されていた個人情報を登録認証プラットフォーム３４に転送し、記憶させる。
【００７７】
そして、ステップＳ３３において、登録認証プラットフォーム３４は、ビデオカメラ１１のユーザに対する仮IDと仮パスワードを発行する。この仮IDと仮パスワードは、カスタマ登録ウェブサーバ３３に供給され、通信部１１９から出力され、アクセスポイント３１、公衆回線網１３、ブルートゥースアダプタ１２を介してビデオカメラ１１に送信される。
【００７８】
ビデオカメラ１１のCPU７１は、図８のステップＳ１４において、通信部８２を介してこの仮IDと仮パスワードを受信すると、これをLCD７８に供給し、表示させるか、またはEEPROM７４に供給し、記憶させる。
【００７９】
登録認証プラットフォーム３４は、ビデオカメラ１１のユーザの個人情報を、ステップＳ３３において、カスタマデータベース３２に供給し、登録させる。
【００８０】
ステップＳ３４において、カスタマデータベース３２は、インターネット１０を介して、ネットワークサービスビジネスセンタ１５のビデオカメラ用イメージステーション４１に、この個人情報を供給する。
【００８１】
ビデオカメラ用イメージステーション４１のCPU１５１は、通信部１５９を介してネットワークシステム１４から送信されてきた個人情報を受信すると、これを記憶部１５８に供給し、記憶させる（後述する図１６のステップＳ１２１）。
【００８２】
ステップＳ３５において、カスタマデータベース３２は、ビデオカメラ１１の個人情報を、さらに、インターネットサービスプロバイダ１７のカスタマデータベース５２に送信する。
【００８３】
インターネットサービスプロバイダ１７のカスタマデータベース５２は、インターネット１０を介して、ネットワークシステム１４から送信されてきたビデオカメラ１１の個人情報を登録する（後述する図１１のステップＳ７１）。
【００８４】
なお、ステップＳ３６において、以後、ネットワークシステム１４のカスタマデータベース３２は、ネットワークビジネスセンタ１５において、ビデオカメラ１１のユーザの個人情報が変更されたとき、ビデオカメラ用イメージステーション４１からインターネット１０を介してこれを受信し、自分自身に登録させる。また、カスタマデータベース３２は、その更新された個人情報を、インターネット１０からインターネットサービスプロバイダ１７のカスタマデータベース５２に供給し、登録させる。
【００８５】
逆に、インターネットサービスプロバイダ１７において、ビデオカメラ１１のユーザが個人情報を変更したとき、カスタマデータベース５２にそれが登録されるので、カスタマデータベース５２は、それをインターネット１０を介して、ネットワークシステム１４のカスタマデータベース３２に通知する。カスタマデータベース３２は、入力された個人情報を古い個人情報に上書きし、個人情報を更新させる。
【００８６】
このとき、カスタマデータベース３２は、インターネット１０を介して、ネットワークサービスビジネスセンタ１５のビデオカメラ用イメージステーション４１に、この更新された個人情報をさらに送信する。
【００８７】
ビデオカメラ用イメージステーション４１は、入力された個人情報で古い個人情報を更新する。
【００８８】
以上のようにして、ネットワークシステム１４、ネットワークサービスビジネスセンタ１５、およびインターネットサービスプロバイダ１７における個人情報は、その１つにおいて更新されると、それが他に直ちにリアルタイムで他の２つに反映される。
【００８９】
以上のようにして、ネットワークシステム１４のカスタマデータベース３２にビデオカメラ１１のユーザが登録されると、以後、ネットワークシステム１４は、ビデオカメラ１１に関する各種の情報を、必要に応じて、ビデオカメラ１１のユーザに、インターネット１０を介して、あるいは葉書などにより通知する。
【００９０】
デジタルイメージカスタマ登録処理が以上のようにして完了すると、次に、ISP接続登録処理が実行される。すなわち、カスタマ登録ウェブサーバ３３は、カスタマ登録処理が完了すると、以後のビデオカメラ１１に対する処理の管理権をインターネットサービスプロバイダ１７のカスタマデータベース５２に移管する。
【００９１】
従って、以後、ビデオカメラ１１とインターネットサービスプロバイダ１７のカスタマデータベース５２との間において、ISP接続登録処理が実行される。図１０は、この場合におけるビデオカメラ１１の処理を表し、図１１は、これに対応するカスタマデータベース５２の処理を表している。
【００９２】
インターネットサービスプロバイダ１７のカスタマデータベース５２のCPU１９１は、図１１のステップＳ７１において、図９のステップＳ３５においてネットワークシステム１４のカスタマデータベース３２から送信された個人情報を受信すると、これを記憶部１９８に供給し、記憶させる。
【００９３】
インターネットサービスプロバイダ１７のカスタマデータベース５２は、ステップＳ７１において、ビデオカメラ１１の個人情報を受信すると、そのユーザが既にインターネットサービスプロバイダ１７の会員であるか否かを入力することを、そして会員である場合には、インターネットサービスプロバイダ１７のユーザIDを入力することを、ビデオカメラ１１に要求する。
【００９４】
ビデオカメラ１１のCPU７１は、図１０のステップＳ５１において、この要求を受けたとき、対応するメッセージをLCD７８に出力し、表示させる。ユーザは、この表示を見て、自分自身が既にインターネットサービスプロバイダ１７の会員である場合には、そのユーザIDを入力部７７を操作することで入力する。また会員でない場合には、その旨が入力される。ビデオカメラ１１のCPU７１は、そこでステップＳ５２において、インターネットサービスプロバイダ１７のユーザIDが入力されたか否かを判定し、インターネットサービスプロバイダ１７の会員でないことが入力された場合には、ステップＳ５３において、その旨を通信部８２を介して、インターネットサービスプロバイダ１７のカスタマデータベース５２に送信させる。
【００９５】
カスタマデータベース５２のCPU１９１は、通信部１９９を介してこの入力を受け取ると、図１１のステップＳ７２において、ユーザは、インターネットサービスプロバイダ１７の会員でないと判定し、ステップＳ７３に進み、インターネットサービスプロバイダ１７への入会のための個人情報を送信する。この個人情報は、図９のステップＳ３５の処理で、ネットワークシステム１４から送信されてきて、ステップＳ７１において、受信、記憶された情報が、基本的にそのまま用いられる。
【００９６】
ビデオカメラ１１のCPU７１は、図１０のステップＳ５４において、通信部８２を介して、インターネットサービスプロバイダ１７への入会のための個人情報を受信すると、それをLCD７８に出力し、表示させる。
【００９７】
この個人情報は、ビデオカメラ１１のユーザが、ネットワークシステム１４にユーザ登録した場合に、入力した個人情報であるから、基本的には誤りがないはずである。しかしながら、念のため、ユーザは、この表示を見て、訂正する必要があるか否かを判定し、訂正する必要がある場合には、入力部７７を操作して、訂正を入力する。
【００９８】
そこで、ステップＳ５５において、ビデオカメラ１１のCPU７１は、訂正が入力されたか否かを判定し、訂正が入力された場合には、ステップＳ５６において、訂正された項目を、通信部８２からインターネットサービスプロバイダ１７のカスタマデータベース５２に送信させる。訂正が入力されない場合には、ステップＳ５６の処理はスキップされる。
【００９９】
インターネットサービスプロバイダ１７のカスタマデータベース５２のCPU１９１は、図１１のステップＳ７４で、通信部１９９を介して訂正を受信したか否かを判定し、訂正を受信した場合には、ステップＳ７５において、受信した訂正内容に基づいて、既に登録されている個人情報を訂正する。訂正が受信されない場合には、ステップＳ７５の処理は、スキップされる。
【０１００】
この個人情報としては、上述したように、ビデオカメラ１１を購入したユーザがネットワークシステム１４にユーザ登録した個人情報が基本的にそのまま表示される（そのうちの、インターネットサービスプロバイダ会員になるのに必要な情報のみが表示される）。従って、ユーザは、ネットワークシステム１４にユーザ登録するために入力した項目と基本的に同様の項目をインターネットサービスプロバイダ１７の会員になるために、再度入力する必要がなくなる。従って、操作性が改善される。
【０１０１】
次に、ステップＳ５７において、ビデオカメラ１１のCPU７１は、カスタマデータベース５２からの入力ガイダンスに従って、ユーザ名とパスワードの入力を促すメッセージをLCD７８に表示させる。ビデオカメラ１１のユーザは、このメッセージに従って、入力部７７を操作し、インターネットサービスプロバイダ１７を利用する場合にユーザが用いるユーザ名とパスワードを入力する。CPU７１は、この入力されたユーザ名とパスワードを、通信部８２を介して、インターネットサービスプロバイダ１７のカスタマデータベース５２に送信する。
【０１０２】
カスタマデータベース５２のCPU１９１は、ステップＳ７６において、通信部１９９を介してこのユーザ名とパスワードを受信すると、記憶部１９８に記憶されているデータに基づいて、そのユーザ名とパスワードが既に他のユーザにより使用されているか否かを判定し、使用されている場合には、そのメッセージを通信部１９９からビデオカメラ１１に送信する。
【０１０３】
ビデオカメラ１１のCPU７１は、通信部８２を介してこのメッセージを受信すると、LCD７８に表示させる。ビデオカメラ１１のユーザは、この表示を見て、入力したユーザ名とパスワードが既に登録されていると判定した場合、新たなユーザ名とパスワードを入力する。
【０１０４】
以上のようにして、ビデオカメラ１１からユーザ名とパスワードが送信されてくると、カスタマデータベース５２のCPU１９１は、図１１のステップＳ７６において、通信部１９９を介してこれを取得し、ステップＳ７７において、ユーザ名に基づいて、ユーザIDを決定する。このユーザIDは、インターネットサービスプロバイダ１７の会員としてのユーザIDである。
【０１０５】
このサービス提供システムにおいては、ネットワークシステム１４、ネットワークサービスビジネスセンタ１５、およびインターネットサービスプロバイダ１７において、共通のIDとパスワードを使用することができるようになされている。しかしながら、上述したように、ネットワークシステム１４において、ユーザ登録なされた段階において、ビデオカメラ１１のユーザには、仮IDと仮パスワードが既に設定されている（図８のステップＳ１４、図９のステップＳ３３）。
【０１０６】
この仮IDと仮パスワードに基づいて、インターネットサービスプロバイダ１７において、ユーザがサービスを受けることができるようにするために、CPU１９１は、図９のステップＳ３３において、ネットワークシステム１４により発行され、ステップＳ７１の処理で受信された仮IDと仮パスワードを、ステップＳ７７で決定したユーザIDと対応させるための対応関係を記述したテーブルをステップＳ７８で生成し、ISP接続に登録する。
【０１０７】
これにより、図９のステップＳ３３において、ネットワークシステム１４から発行され、図８のステップＳ１４において、ビデオカメラ１１により受信された仮IDと仮パスワードに基づいて、ビデオカメラ１１のユーザがインターネットサービスプロバイダ１７にアクセスしてきたとき、カスタマデータベース５２は、その仮IDと仮パスワードに対応するユーザIDをテーブルから検索することで、ビデオカメラ１１のユーザに、インターネットサービスプロバイダ１７が提供するサービスを利用させる。
【０１０８】
CPU１９１は、以上のようにして、ビデオカメラ１１のユーザのインターネットサービスプロバイダ１７の会員としての登録が完了したとき、ステップＳ７９において、インターネットサービスプロバイダ１７に対してアクセスするときに必要な設定情報をビデオカメラ１１に送信する。
【０１０９】
ビデオカメラ１１のCPU７１は、図１０のステップＳ５８において、インターネットサービスプロバイダ１７からのインターネットサービスプロバイダ設定情報を受信すると、これをLCD７８に出力し、表示させる。これにより、ユーザは、インターネットサービスプロバイダ設定情報を確認することができる。このインターネットサービスプロバイダ設定情報には、例えば、図１２に示されるように、PPPログイン、PPPパスワード、アクセスポイント電話番号、POPID、POPパスワード、Ｅメールアドレス、POPサーバ、SMTPメールサーバ、ニュースサーバなどが記述されている。
【０１１０】
ビデオカメラ１１のユーザは、必要に応じて、この図１２に示される内容をメモするなどした後、入力部７７を操作して確認の信号をインターネットサービスプロバイダ１７に出力する。
【０１１１】
インターネットサービスプロバイダ１７のカスタマデータベース５２は、ステップＳ８０において、ビデオカメラ用設定情報を送信する。
【０１１２】
ビデオカメラ１１は、図１０のステップＳ５９において、このビデオカメラ用設定情報を受信すると、LCD７８にこれを表示させる。
【０１１３】
図１３は、このようにして、カスタマデータベース５２からビデオカメラ１１に送信されるビデオカメラ用設定情報の例を表している。この例のおいては、ビデオカメラ用設定情報がDIカスタマID、DIパスワード、およびアクセスポイント電話番号により構成されている。
【０１１４】
アクセスポイント電話番号とは、ビデオカメラ１１がインターネット１０に接続するとき、アクセスするポイント、具体的には、インターネットサービスプロバイダ１７のアクセスポイント５１の電話番号を表している。
【０１１５】
ビデオカメラ１１のユーザは、図１０のステップＳ６０において、このようにして表示されたビデオカメラ用設定情報をインターネット１０に接続するための条件として入力部７７を操作して、ビデオカメラ１１に設定する。この設定は、EEPROM７４に記憶される。
【０１１６】
例えば、パーソナルコンピュータを購入したユーザが、一般的なサービスプロバイダ（図２の例の場合、インターネットサービスプロバイダ１８）を介して、インターネット１０に接続するためには、図１４Ａに示されるような、PPP接続用ID、PPP接続用パスワード、アクセスポイント電話番号、Primary DNS Server, Secondary DNS Server, Proxy Server, Port Number, POP認証用ID、POP認証用パスワード、POP Server, SMTP Server、およびメールアドレスという１２個の項目を設定する必要があるのに対して、このように、ビデオカメラ１１を購入したユーザは、ISP接続登録処理を行うことで、ビデオカメラ１１のユーザは、図１４Ｂに示されるように、Unified ID（図１３におけるDIカスタマIDに対応する）、パスワード（図１３におけるDIパスワードに対応する）、およびアクセスポイント電話番号（図１３におけるアクセスポイント電話番号に対応する）の３個の項目の設定だけで済むことになる。従って、設定操作に不慣れなユーザであっても、簡単に、インターネット接続のための操作を行うことが可能となる。
【０１１７】
ビデオカメラ１１のユーザは、自分自身が既にインターネットサービスプロバイダ１７の会員である場合には、カスタマデータベース５２からの要求に基づいて、入力部７７を操作して、インターネットサービスプロバイダ１７のユーザIDを入力する。そこで、この場合、ビデオカメラ１１のCPU７１は、図１０のステップＳ６１において、ユーザから入力されたインターネットサービスプロバイダ１７のユーザIDを取得すると、通信部８２からカスタマデータベース５２に、このインターネットサービスプロバイダ１７のユーザIDを送信させる。
【０１１８】
インターネットサービスプロバイダ１７のカスタマデータベース５２のCPU１９１は、ビデオカメラ１１から送信されてきたインターネットサービスプロバイダ１７のユーザIDを、図１１のステップＳ８１において、受信し、取得すると、ステップＳ８２において、ユーザのインターネットサービスプロバイダIDを、ステップＳ７１の処理で受信されたそのユーザの個人情報に含まれる仮IDと仮パスワードに対応させるための対応関係を記述したテーブルを生成し、ISP接続に登録する。
【０１１９】
ユーザは、図１０のステップＳ６０において、ビデオカメラ用設定情報をインターネット１０に接続するための条件として入力部７７を操作して、ビデオカメラ１１に設定する。この設定は、EEPROM７４に記憶される。この仮IDと仮パスワードに基づいて、インターネットサービスプロバイダ１７において、ユーザがサービスを受けることができるようにするために、CPU１９１は、図９のステップＳ３３において、ネットワークシステム１４により発行され、ステップＳ７１の処理で受信された仮IDと仮パスワードを、ユーザのインターネットサービスプロバイダIDと対応させるための対応関係を記述したテーブルをステップＳ８２で生成し、ISP接続に登録する。
【０１２０】
カスタマデータベース５２のCPU１９１は、図１１のステップＳ８０，Ｓ８２の処理の後、ステップＳ８３に進み、それまでの処理により登録された情報、あるいはユーザによりその登録情報が更新された場合、その更新された情報を、ネットワークシステム１４に送信する。
【０１２１】
ネットワークシステム１４の登録認証プラットフォーム３４は、このインターネットサービスプロバイダ１７からの登録情報を受信すると、それをカスタマデータベース３２に登録させるとともに、ネットワークサービスビジネスセンタ１５のビデオカメラ用イメージステーション４１にもそれを送信し、反映させる。
【０１２２】
以上のような、ISP接続登録処理に引き続いて、アルバム利用登録処理が実行される。このアルバム利用登録処理について、図１５と図１６のフローチャートを参照して、さらに説明する。図１５は、ビデオカメラ１１のアルバム利用登録処理を表し、図１６は、それに対応するビデオカメラ用イメージステーション４１のアルバム利用登録処理を表している。
【０１２３】
インターネットサービスプロバイダ１７のカスタマデータベース５２のCPU１９１は、インターネットサービスプロバイダの簡単登録処理が完了すると、ビデオカメラ１１に対する処理の管理権を、ネットワークサービスビジネスセンタ１５のビデオカメラ用イメージステーション４１に移管する。
【０１２４】
ビデオカメラ用イメージステーション４１のCPU１５１は、図１６のステップＳ１２１において、ネットワークシステム１４のカスタマデータベース３２が図９のステップＳ３４において送信したビデオカメラ１１の個人情報を、通信部１５９を介して受信すると、これを記憶部１５８に供給し、記憶させる。CPU１５１は、ステップＳ１２２において、受信した個人情報のうちの氏名とメールアドレスを読み出し、これをビデオカメラ１１に送信する。
【０１２５】
ビデオカメラ１１のCPU７１は、ビデオカメラ用イメージステーション４１からの氏名とメールアドレスを受信すると、ステップＳ１０１において、これをLCD７８に出力し、表示させる。ビデオカメラ１１のユーザは、この表示を見て、自分自身の氏名とメールアドレスが正しいか否かを判定する。なお、このメールアドレス（Ｅメールアドレス）は、インターネットサービスプロバイダ１７における会員登録において設定されたもの（図１２）である。
【０１２６】
ビデオカメラ１１のユーザは、氏名とメールアドレスが、正しいことを確認したとき、入力部７７を操作し、その氏名とメールアドレスをアルバム利用登録するのに用いることを了承する場合には、その旨を入力する。そこで、ステップＳ１０２において、CPU７１は、了承が入力されたか否かを判定し、入力された場合には、ステップＳ１０３に進み、その入力に対応する了承信号を、ビデオカメラ用イメージステーション４１に送信させる。
【０１２７】
これに対して、アルバム利用登録を了承しない場合、ユーザは、入力部７７を操作してその旨を入力する。このとき、ステップＳ１０４において、CPU７１は、アルバム利用登録が了承されなかったことを表す非了承信号をビデオカメラ用イメージステーション４１に送信させる。
【０１２８】
ビデオカメラ用イメージステーション４１のCPU１５１は、図１６のステップＳ１２３において、了承信号が入力されたか否かを判定し、入力された場合には、ステップＳ１２４に進み、ステップＳ１２１で受信した個人情報を、記憶部１５８に記憶させる。
【０１２９】
これに対して、ステップＳ１２３において、了承信号が入力されていないと判定された場合、ステップＳ１２４の処理はスキップされる。
【０１３０】
このようにして、ビデオカメラ用イメージステーション４１には、ネットワークシステム１４で発行された仮IDと仮パスワードに対応する個人情報が登録される。
【０１３１】
その後、ステップＳ１２５において、ビデオカメラ用イメージステーション４１のCPU１５１は、ユーザからの登録情報を更新する入力がなされた場合には、その旨をネットワークシステム１４に送信する。
【０１３２】
ネットワークシステム１４のカスタマデータベース３２は、この更新情報を自分自身が登録するとともに、それをインターネットサービスプロバイダ１７のカスタマデータベース５２に送信し、登録させる。
【０１３３】
なお、ネットワークシステム１４のカスタマデータベース３２は、仮IDと仮パスワードを発行した後、ユーザの住所宛に、本IDと本パスワードを記載した葉書を郵送する。ユーザは、これを受け取ったとき、仮IDと仮パスワードを、本IDと本パスワードに変更して利用する。
【０１３４】
カスタマデータベース３２は、本IDと本パスワードを発行すると、それをネットワークサービスビジネスセンタ１５とインターネットサービスプロバイダ１７にインターネット１０を介して送信する。ネットワークサービスビジネスセンタ１５とインターネットサービスプロバイダ１７においては、それぞれ本IDと本パスワードが登録される。仮IDと仮パスワードは、発行されてから、所定の期間（例えば、２週間）だけ利用することが可能であり、ネットワークシステム１４、ネットワークサービスビジネスセンタ１５、およびインターネットサービスプロバイダ１７は、それぞれ仮IDと仮パスワードを２週間だけ有効とし、有効期間が経過した後、その仮IDと仮パスワードが使用された場合には、アクセスを拒否することになる。
【０１３５】
なお、以上においては、ビデオカメラ１１からネットワークシステム１４にユーザ登録させるようにしたが、パーソナルコンピュータによりインターネット１０を介して登録したり、葉書で登録することも可能である。
【０１３６】
次に、図１７のフローチャートを参照して、ビデオカメラ１１がネットワークシステム１４、ネットワークサービスビジネスセンタ１５、またはインターネットサービスプロバイダ１７に接続する場合の処理について説明する。ユーザは、入力部７７を操作して、ネットワークシステム１４にユーザ登録したとき割り当てられた仮IDと仮パスワード（または、その後に設定された本IDと本パスワード）を入力する。ステップＳ１４１において、CPU７１は、ユーザの入力部７７の操作に基づいて入力されたIDとパスワードを取得する。さらに、CPU７１は、ステップＳ１４２において、ユーザから指定されたアクセス先がインターネットサービスプロバイダ１７であるのか否かを判定する。
【０１３７】
アクセスするのがインターネットサービスプロバイダ１７である場合には、ステップＳ１４３に進み、CPU７１は、入力されたIDとパスワードを用いて、インターネットサービスプロバイダ１７にアクセスする処理を実行する。
【０１３８】
ステップＳ１４２において、アクセスする先がインターネットサービスプロバイダ１７ではないと判定された場合、ステップＳ１４４に進み、CPU７１は、アクセス先がネットワークシステム１４であるか否かを判定する。アクセス先がネットワークシステム１４である場合には、ステップＳ１４５に進み、CPU７１は、ROM７２に予め記憶されているゲストIDとパスワードに基づいて、ネットワークシステム１４にアクセスする。同様に、ステップＳ１４４において、アクセスするのがネットワークシステムではないと判定された場合（アクセス先はネットワークビジネスセンタ１５であると判定された場合）、ステップＳ１４６に進み、CPU７１は、ステップＳ１４１で取得されたIDとパスワードを利用して、インターネットサービスプロバイダ１７を経由して、ネットワークビジネスセンタ１５にアクセスさせる。
【０１３９】
以上のようにして、このサービス提供システムにおいては、図１８に示されるように、ネットワークシステム１４、ネットワークサービスビジネスセンタ１５、並びにインターネットサービスプロバイダ１７におけるIDとパスワードとして、ネットワークシステム１４のユーザ登録時に発行された仮IDと仮パスワード（同一のIDとパスワード）を用いて、それぞれのサービスの提供を受けることができる。
【０１４０】
ところで、ユーザは、ビデオカメラ１１で撮影し、メモリカード８５に記憶した動画や静止画像などの画像データを、ビデオカメラ用イメージステーション４１に送信(アップロード)し、保存させることができる。ビデオカメラ用イメージステーション４１は、画像データを、ユーザ毎に区別して、記憶部１５８に保存している。ユーザが、画像データをビデオカメラ用イメージステーション４１の記憶部１５８に保存する場合、各ユーザには、使用できる記憶容量の上限(例えば500MB)があり、ユーザは、その記憶容量の範囲内で、自由に、画像データを保存したり、保存してあった画像データを閲覧したり、ダウンロードしたり、または削除することができる。
【０１４１】
なお、ユーザは、ビデオカメラ１１を用いて撮影した画像データ以外の、例えば、他の撮影装置を用いて撮影した画像データや、インターネット１０を介して、入手した画像データなどを、ビデオカメラ用イメージステーション４１に保存することもできる。
【０１４２】
また、ビデオカメラ用イメージステーション４１の各ユーザは、ユーザごとの複数の画像データを、１０個のグループのうち何れかのグループに分類して保存することができる。そのため、ユーザは、保存してある画像データの中から、特定の画像データを閲覧したい場合、テーマごとに整理された何冊かのアルバム(グループ)の中から、希望するアルバム(グループ)をピックアップして閲覧するような感覚で、ビデオカメラ１１を操作することができ、迅速に希望する画像データを登録し、また探し出すことができる。
【０１４３】
なお、以下、このグループのことをアルバムと称する。
【０１４４】
撮像部８０により取り込まれ、メモリカード８５に記録された静止画像の読み出しを、入力部７７を操作することで指令すると、CPU７１は、メモリカード８５に記録された画像を読み出し、LCD７８に表示させる。図１９はこの場合の表示例を表わしている。図１９において、左上方から、バッテリー残量表示３０１、そのすぐ下に画像ID３０２が表示され、右上方には、表示されている画像の通し番号とメモリカード８５に記憶されている画像数を表わす画像ナンバ３０３が、表示されている。すなわち、バッテリー残量表示３０１は、ビデオカメラ１１を駆動する際に電力供給源となるバッテリ(図示せず)の残量を表示している。「DSC00034」の画像ID３０２は、撮影した画像にCPU７１が自動的に添付する識別番号である。画像ナンバ３０３「29／30」は、メモリカード８５には、３０個の画像データが記録されており、現在LCD７８に表示しているのは、そのうち２９番目に撮影した画像データであることを示している。
【０１４５】
図１９の下方には、左から順にマイナスボタン３０４、プラスボタン３０５、ネットワークボタン３０６、撮影ボタン３０７、インデックスボタン３０８、機能ボタン３０９が表示されている（以下、これらのように、LCD７８に表示されたボタンを表示ボタンと称する）。ユーザは、入力部７７の所定のボタンの操作により、これらの表示ボタンの中から任意の表示ボタンにカーソルを合わせ、決定することにより、選択された表示ボタンに対応する処理を行わせることができる。カーソルが合わせられると、表示ボタンは、異なる色の表示に変わるため、ユーザは、その表示ボタンにカーソルが合わせられていることを識別する(カーソルを色から識別する)ことができる。
【０１４６】
ユーザが、入力部７７から所定の操作を入力し(図示せぬ＋ボタンを操作し)、マイナスボタン３０４を選択すると、CPU７１は、LCD７８に、それまで表示していた画像データより通し番号が１つ小さい画像データをメモリカード８５から読み出して表示させる。ただし、マイナスボタン３０４が選択された際に、表示されていた画像の通し番号が１であった場合、CPU７１は、通し番号が１番大きい画像データをメモリカード８５から読み出して、表示させる。
【０１４７】
ユーザが、入力部７７から所定の操作を入力し、プラスボタン３０５を選択すると、CPU７１は、表示していた画像データより通し番号が１つ大きい画像データをメモリカード８５から読み出して表示させる。ただし、プラスボタン３０５が選択された際に、表示されていた画像の通し番号が１番大きかった場合、CPU７１は、通し番号１番の画像データをメモリカード８５から読み出し、表示させる。
【０１４８】
図１９の撮影ボタン３０７を選択する操作が、入力部７７を介して入力されると、CPU７１は、撮像部８０を駆動して、被写体を撮影することができる状態にする一連の処理を開始する。
【０１４９】
インデックスボタン３０８が選択されると、CPU７１は、LCD７８に、メモリカード８５に記録されている画像データ(静止画像および動画を含む)の索引を、表示ボタンとして表示させる。ユーザにより、表示された索引の表示ボタンの中から１つが選択されると、CPU７１は、LCD７８に、選択された表示ボタンに対応する画像データをメモリカード８５より読み出し、表示させる。
【０１５０】
機能ボタン３０９が選択されると、CPU７１は、LCD７８に、ビデオカメラ１１の様々な機能、例えば、撮影環境に合わせた撮影方法の選択設定、撮影した画像データの消去、時刻設定などの設定変更を案内する画面を表示させる。
【０１５１】
ネットワークボタン３０６が選択されると、CPU７１は、LCD７８に表示されていた画面を、図１９の画面から、図２０に示されるようなネットワークメニューの画面に切り替える。図２０においては、画面上方に、画面タイトル３２１が表示され、画面中央に、メールボタン３２２、Webアルバムボタン３２３、ブラウザボタン３２４、および設定ボタン３２５が、画面右下方に、終了ボタン３２６が、それぞれ表示されている。ユーザが、所定の操作を入力部７７より入力し、メールボタン３２２を選択すると、CPU７１は、インターネットサービスプロバイダ１７を介した電子メールの送受信を行う一連の処理を開始する。ユーザによりブラウザボタン３２４が選択されると、CPU７１は、インターネット１０を介し、ユーザが希望する情報提供サーバ１９や、検索サーバ２０に接続し、取得した情報をLCD７８に表示させる。
【０１５２】
ユーザによりWebアルバムボタン３２３が選択されると、CPU７１は、ネットワークサービスビジネスセンタ１５のビデオカメラ用イメージステーション４１にアクセスし、後述する画像の閲覧／編集処理を実行する。
【０１５３】
ユーザにより設定ボタン３２５が選択されると、CPU７１は、ネットワーク機能（上述したメール、ブラウザ、Webアルバムに関する機能を含む機能）に関する、ビデオカメラ１１、またはネットワークシステム１４、インターネットサービスプロバイダ１７、もしくはネットワークサービスビジネスセンタ１５のうち何れかの設定を変更する処理を開始する。ユーザにより終了ボタン３２６が選択されると、CPU７１は、図２０の画面の表示を終了させ、図１９の画面に戻させる。
【０１５４】
図２０の表示例において、ユーザが、入力部７７の所定の操作により、Webアルバムボタン３２３を選択したとすると、CPU７１は、LCD７８に、図２１に示されるようなWebアルバムメニューの画面を表示させる。すなわち、図２１の表示例においては、画面タイトル３３１、並びに、表示ボタンであるアップロードボタン３３２、閲覧／編集ボタン３３３、および終了ボタン３３４が表示されている。入力部７７から所定の操作が入力され、アップロードボタン３３２が選択されると、CPU７１は、メモリカード８５に記憶している静止画、および動画を含む画像データを、ビデオカメラ用イメージステーション４１が管理しているWebアルバムに供給し、保存させる一連のアップロード処理を開始する。
【０１５５】
ユーザが、閲覧／編集ボタン３３３にカーソルを合わせ決定すると、後述するWebアルバムの閲覧、および編集に関する一連の処理が開始される。終了ボタン３３４が選択されると、CPU７１は、LCD７８に表示されていた図２１の画面を消し、図２０の画面に戻させる。
【０１５６】
次に、ビデオカメラ１１を用いた、画像データの閲覧および編集処理について、図２２乃至図２４のフローチャートを参照して説明する。図２２と図２３は、閲覧／編集処理を行う場合における、ビデオカメラ１１の処理を表わし、図２４は、それに対応するビデオカメラ用イメージステーション４１の処理を表わしている。
【０１５７】
図２１の表示例において、ユーザが閲覧／編集ボタン３３３を選択したとすると、CPU７１は、ステップＳ１６１において、図１７のフローチャートを用いて先に説明した一連のアクセス処理を行い、ネットワークサービスビジネスセンタ１５のビデオカメラ用イメージステーション４１にアクセスし、アルバム選択ページの画像を送信するよう要求する。
【０１５８】
なお、ビデオカメラ１１からビデオカメラ用イメージステーション４１への通信は、ビデオカメラ１１の通信部８２が、ブルートゥースアダプタ１２と近距離無線通信し、そこから公衆回線網１３、およびインターネットサービスプロバイダ１７のアクセスポイント５１、インターネット１０を介して行われる。逆に、ビデオカメラ用イメージステーション４１からビデオカメラ１１への通信は、インターネット１０、インターネットサービスプロバイダ１７のアクセスポイント５１、公衆回線網１３、およびブルートゥースアダプタ１２を介して、ビデオカメラ１１の通信部８２に対して行われる。ビデオカメラ１１とビデオカメラ用イメージステーション４１の間の送受信は、基本的に、この通信経路で行われる。
【０１５９】
以下の説明においては、特に説明する必要が無い場合、これらブルートゥースアダプタ１２、公衆回線網１３、インターネットサービスプロバイダ１７のアクセスポイント５１、およびインターネット１０の記述は省略する。
【０１６０】
ビデオカメラ１１とビデオカメラ用イメージステーション４１の間の通信回線が接続されるまで、ビデオカメラ１１のCPU７１は、LCD７８に、図２５に示されるような画像を表示させる。図２５の例では、「ダイアル中・・・」の案内表示３５１が表示されている。ユーザは、図２５に示す画面が表示されている間、下方のキャンセルボタン３５２を選択することにより、いつでもビデオカメラ用イメージステーション４１へのアクセスを中断することができる。キャンセルボタン３５２が操作された場合、CPU７１は、LCD７８に表示させる画面を図２１に示した画面に戻させる。
【０１６１】
ネットワークサービスビジネスセンタ１５のビデオカメラ用イメージステーション４１においては、ビデオカメラ１１からのアクセスを、通信部１５９を介して受けると、CPU１５１は、ステップＳ２０１において、記憶部１５８に記憶してあるユーザの個人情報を参照して、アクセス情報に含まれるIDおよびパスワードから、ユーザを特定する。
【０１６２】
ビデオカメラ用イメージステーション４１が、ユーザを特定する処理を行っている間、ビデオカメラ１１のCPU７１は、LCD７８に、図２６に示されるように、「ID，パスワード認証中」の案内表示３６１を表示させる。なお、ユーザは、図２６に示す画面が表示されている間、下方のキャンセルボタン３６２を選択することにより、いつでもビデオカメラ用イメージステーション４１との通信を中断することができる。キャンセルボタン３６２が操作された場合、CPU７１は、LCD７８に表示させる画面を図２１に示した画面に戻させる。
【０１６３】
ビデオカメラ用イメージステーション４１は、登録しているユーザと、ユーザ毎のアルバムを、対応付けて管理しており、ステップＳ２０２において、ビデオカメラ用イメージステーション４１のCPU１５１は、ステップＳ２０１において特定されたユーザに対応するアルバム選択ページの画像、および各アルバムに対応する付帯情報を記憶部１５８より読み出し、ビデオカメラ１１に送信する。
【０１６４】
ビデオカメラ１１のCPU７１は、通信部８２を介して、ビデオカメラ用イメージステーション４１から供給された、アルバム選択ページの画像および付帯情報をステップＳ１６２において取得すると、ステップＳ１６３において、そのアルバム選択ページの画像を、LCD７８に表示させ、ユーザにアルバムの選択を促す。
【０１６５】
図２７は、LCD７８に表示されたアルバム選択ページの画像の例を示している。図２７において、画面には横スクロールバー３７１、および縦スクロールバー３７２が表示されている。画面３７３の中には、アルバム索引３７４乃至３７８が表示されている。また、画面上方に、現在までの接続時間を表示する時間表示３７９が表示されている。
【０１６６】
なお、以下の説明中に用いる図面にも、時間表示３７９が表示されているが、その説明は、繰り返しになるので、適宜省略する。
【０１６７】
ユーザが、所定の操作を入力することにより、横スクロールバー３７１のバーを横方向に移動させるか、または、縦スクロールバー３７２を縦方向に移動させると、CPU７１は、画面３７３の表示を横または縦方向にスクロールさせる。
【０１６８】
ユーザは、画像データをビデオカメラ用イメージステーション４１に保存する際、複数のアルバムから希望するアルバムを選択し、その選択したアルバムに保存することができるようになっており、アルバム索引３７４乃至３７８は、そのようにして画像データを保存するアルバムの索引である。
【０１６９】
アルバム索引３７４に表示されている「アルバム１(８画像)」は、アルバム名が「アルバム１」で、アルバム１に含まれる画像の枚数が８枚であることを表わしている。アルバム名は、入力部７７から所定の操作を入力することにより、ユーザの希望する名前に変更することができるようにしてもよい。アルバム索引３７５乃至３７８の表示も、同様に、それぞれ、アルバム名、およびアルバムに含まれている画像の枚数を示している。
【０１７０】
図２７においては、アルバム名がアルバム１乃至５までの５個のアルバム索引が、表示されているが、入力部７７の所定の操作により、画面を下にスクロールさせることにより、アルバム６以降（例えば、アルバム１０まで）を表示させることができる。
【０１７１】
ただし、アルバム数は、上述した数(１０個)に限定されるものではなく、ビデオカメラ用イメージステーション４１を管理する事業者が、任意に設定することができる。
【０１７２】
ステップＳ１６４において、ビデオカメラ１１のCPU７１は、入力部７７から、ユーザによりアルバムを選択する操作が入力されるまで待機する。
【０１７３】
図２８は、待機中のLCD７８に表示される画面の例を示している。選択アルバム索引３７６にカーソル３８０が合わせられていること以外は、図２７と同一である。ユーザは、入力部７７の所定の操作により、閲覧および編集したいアルバムにカーソル３８０をあわせることにより、アルバムを選ぶことができ、アルバムは、カーソル３８０を合わせられると、ほかのアルバム索引とは区別して表示される。
【０１７４】
アルバム選択ページには、上述したように、各アルバムに含まれている画像データ数が名称の右側に表示されており、画像データが保存されていないアルバム、すなわち、右側の括弧内に「０画像」と表示されたアルバム（例えば、アルバム索引３７７の「アルバム４」）は、一目瞭然で判別できる。しかしながら、ユーザが、誤って、そのアルバムを選択することも考えられる。
【０１７５】
そこで、ユーザが、希望するアルバム（例えばアルバム索引３７７）にカーソル３８０を合わせ、決定する操作を入力部７７から入力すると、ステップＳ１６５において、CPU７１は、ステップＳ１６２においてビデオカメラ用イメージステーション４１から取得した、各アルバムに対応する付帯情報に基づいて、選択されたアルバムは、画像を１つ以上含むか判断する。その結果、選択されたアルバムは、画像を１つも含んでないと判断した場合、ステップＳ１６６に進み、CPU７１は、LCD７８に、図２９に示されるような、エラーメッセージを表示させる。
【０１７６】
図２９の例においては、画面上方に、時間表示３７９が、その下に、選択されたアルバムのアルバム索引３８１「アルバム４(０画像)」が、画面中央に案内表示３８２「このアルバムには画像がありません」が、一番下方に、移行ボタン３８３が、それぞれ表示されている。アルバム索引３８１「アルバム４(０画像)」は、アルバム名が「アルバム４」で、アルバム４が含む画像データ数が、０個であることを示している。移行ボタン３８３を選択する入力が、ユーザによりなされると、ステップＳ１６３に戻り、上述した処理が繰り返される。
【０１７７】
ステップＳ１６５において、CPU７１が、選択されたアルバムが、画像を含んでいると判断した場合、処理は、ステップＳ１６７に進む。
【０１７８】
ステップＳ１６７において、CPU７１は、通信部８２を介して、ビデオカメラ用イメージステーション４１に、選択されたアルバムのインデックス画像のデータを送信するよう要求する。
【０１７９】
ステップＳ２０３において、ビデオカメラ用イメージステーション４１のCPU１５１は、要求されたアルバムのインデックス画像のデータおよび各画像に対応する画像ID（各画像データのファイルサイズ、およびフォーマットに関する情報を含む情報）を、記憶部１５８より読み出し、通信部１５９を制御して、これらの情報をビデオカメラ１１に供給させる。
【０１８０】
ステップＳ１６８において、通信部８２を介して、アルバムのインデックス画像のデータおよび各画像に対応する画像IDを取得すると、ステップＳ１６９において、CPU７１は、ステップＳ１６８において取得したアルバムのインデックス画像を、LCD７８に表示させ、ユーザに、ダウンロードする画像を選択するように促す。
【０１８１】
図３０乃至図３４は、LCD７８に表示されたインデックス画像の例を示す。
【０１８２】
図３０において、左上方からアルバム索引３９１「アルバム３(９画像)」、そのすぐ下に表示ページ番号３９２「１／３ページ」が表示され、右方に移行ボタン３９３「アルバム選択ページへ」が表示されている。また、画面には、インデックス画像３９４乃至３９９が、表示されている。各画像の下方には、正方形のチェックボックス、および各画像に関する情報(データ量とそのファイルの拡張子)が表示されている。
【０１８３】
図３０において、アルバム索引３９１は、表示しているアルバム、すなわち、ステップＳ１６４においてユーザにより選択されたアルバムの名称を示している。そのすぐ下に表示されている表示ページ番号３９２「１／３ページ」は、アルバム３が、３ページあり、現在表示しているのはその内の１ページ目であることを示している。
【０１８４】
移行ボタン３９３が、ユーザにより選択されると、処理は、ステップＳ１６３に戻り、CPU７１は、LCD７８に、図２７のアルバム選択ページの画像を表示させる。
【０１８５】
図３０の画面中央には、６つのインデックス画像(サムネイル画像)、すなわち、インデックス画像３９４乃至３９９が表示されており、各インデックス画像のすぐ下には、正方形のチェックボックス、並びに、画像データのファイルサイズおよびフォーマットが表示されている。例えば、インデックス画像３９４の場合、「300KB  JPG」と表示されており、ファイルサイズ(データ量)が300KB、そのファイルの拡張子はJPGであることを示している。この拡張子はデータの圧縮方法を表わしており、JPGは、圧縮方式がJPEGであることを示している。
【０１８６】
なお、ビデオカメラ用イメージステーション４１に記録されている画像データが、静止画像の場合、インデックス画像には、大きさを小さくして、ファイルサイズを小さくした画像データが用いられる。
【０１８７】
ビデオカメラ用イメージステーション４１に記録されている、対応する画像データが、動画の場合、その動画の中からユーザが任意に選択した１コマの画像であって、大きさを小さくした画像データが作成され、インデックス画像として用いられる。
【０１８８】
ユーザは、アルバムからダウンロード（または削除）したい画像のインデックス画像を、その直下にあるチェックボックスに、入力部７７の所定の操作によりチェックを入れることで指定することができる。CPU７１は、この指定が行われると、例えば、インデックス画像３９７に示されるように、その直下のチェックボックスに×印を表示させる。
【０１８９】
ところで、例えば、アルバム３の場合、アルバム索引３９１に「アルバム３（９画像）」と表示されている通り、アルバムは９つの画像を含んでいるが、LCD７８は、９枚のインデックス画像(サムネイル画像)を一度には表示しきれないことがある。このような場合、ユーザが、入力部７７から所定の操作を入力すると、CPU７１は、表示している画面を横方向にスクロールさせ、他のページにある残りの画像を表示させる。
【０１９０】
また、入力部７７から所定の操作を入力することにより、表示している画面を縦方向にスクロールさせることもできる。縦方向にスクロールさせると、LCD７８には、図３１に示す画面が表示される。
【０１９１】
図３１において、図３０において下方に表示されていた３つのインデックス画像３９７乃至３９９が、画面の上方に表示され、画面中央には、アルバム索引３９１「アルバム３(９画像)」が表示されている。そのすぐ下方には、ページ番号４１１が、表示されている。アルバム索引３９１、およびページ番号４１１は、図３０にそれぞれ表示されたものに対応する。
【０１９２】
図３１の、下方には、表示ボタンである、全て選択ボタン４１２、全てクリアボタン４１３、削除ボタン４１４、およびダウンロードボタン４１５が表示されている。
【０１９３】
ユーザが、入力部７７に所定の操作を入力することにより、全て選択ボタン４１２を選択すると、CPU７１は、表示されているページ内の全ての画像のチェックボックスにチェックを入れる。対照的に、ユーザが、全てクリアボタン４１３を選択すると、CPU７１は、表示されているページ内の１つ以上のチェックボックスにチェックが表示されていた場合、表示されていたチェックを、全て消去させる。
【０１９４】
全て選択ボタン４１２、および全てクリアボタン４１３を使用することにより、ユーザは、表示されているページ内の全ての画像のチェックボックスにチェックしたい場合、もしくは、チェックを消したい場合、１つ１つの画像毎にチェックを入れる（消去する）手間が省ける。
【０１９５】
削除ボタン４１４が、ユーザにより選択されると、CPU７１は、チェックされたインデックス画像に対応する画像を、アルバムから消去する処理を開始する（ステップＳ１８５以降の処理として後述する）。
【０１９６】
ダウンロードボタン４１５が、ユーザにより選択されると、CPU７１は、チェックされたインデックス画像に対応する画像の画像データを、ビデオカメラ用イメージステーション４１からダウンロードする処理を開始する。
【０１９７】
図３０、および図３１に示したLCD７８に表示されるインデックス画像の例では、LCD７８に、最大６つのインデックス画像を表示させているが、例えば、表示したインデックス画像の内、１つだけをより拡大して表示することもできる。
【０１９８】
例えば、図３０のインデックス画像３９７を、拡大表示する場合、まず、ユーザからの入力部７７への所定の操作の入力により、インデックス画像３９７にカーソル４２１が合わせられる。図３２は、カーソル４２１が合わさられたインデックス画像３９７を表している。
【０１９９】
図３２に示されるように、ユーザは、入力部７７の所定の操作により、カーソル４２１を希望するインデックス画像に合わせ、決定する操作を入力することにより、カーソル４２１で選択した画像を拡大して表示させることができる。
【０２００】
CPU７１は、この拡大が指令されたとき、拡大画像の送信をビデオカメラ用イメージステーション４１に要求し、この要求に対応して送信されてきた画像データを受信し、LCD７８に表示させる。図３３は、この場合の表示例を表わしている。
【０２０１】
図３３においては、画面上方に移行ボタン４３１「前へ」、移行ボタン４３２「次へ」、および移行ボタン４３３「インデックスページへ」の表示ボタンが表示され、画面中央に、拡大されたインデックス画像４３４が表示されている。また、画面には、横スクロールバー３７１、および縦スクロールバー３７２が表示されている。
【０２０２】
アルバムに含まれている画像には、予め所定の通し番号が付されており、入力部７７より、移行ボタン４３１「前へ」を選択する操作が入力されると、CPU７１は、現在表示しているインデックス画像より通し番号が１つ前のインデックス画像を、拡大して表示させる。反対に、移行ボタン４３２「次へ」を選択する操作が入力されると、CPU７１は、現在表示しているインデックス画像より通し番号が１つ後のインデックス画像を、拡大表示させる。
【０２０３】
図３３に示される画面の右上方の移行ボタン４３３「インデックスページへ」を選択する所定の操作が入力されると、CPU７１は、表示を、図３０のインデックス画像の一覧表示の画面に戻させる。
【０２０４】
入力部７７に所定の操作を入力することにより、縦スクロールバー３７２を操作して、ユーザは、図３３に示した画面を、下にスクロールする事ができ、このスクロールが指令されると、CPU７１は、図３４に示されるような画面を、LCD７８に表示させる。
【０２０５】
図３４においては、図３３に示されたインデックス画像４３４の下方の部分が、表示されたものである。インデックス画像４３４の下方には、移行ボタン４４１「前へ」および移行ボタン４４２「次へ」が表示されている。さらに、その下方には、画像情報４４３、すなわち、画像のファイルサイズ、およびフォーマットの表示「282KB  JPG」があり、最下方には、削除ボタン４４４とダウンロードボタン４４５が表示されている。移行ボタン４４１「前へ」および移行ボタン４４２「次へ」は、それぞれ、図３３の移行ボタン４３１「前へ」および移行ボタン４３２「次へ」と同一の機能を有する。
【０２０６】
また、削除ボタン４４４とダウンロードボタン４４５は、図３１のそれぞれ対応する表示ボタン、すなわち、削除ボタン４１４およびダウンロードボタン４１５と、同一の機能を有する。ただし、図３１の例においては、チェックボックスにチェックが入っていたインデックス画像に対応する画像の全てが、アルバムからダウンロード（または削除）されるが、図３４の例においては、拡大表示されているインデックス画像に対応する画像のみが、ダウンロード（または削除）される。
【０２０７】
以上の処理を実行するため、ステップＳ１７０において、CPU７１は、ユーザにより、表示ボタンが選択されるまで、待機する。表示ボタンが選択されると、処理は、ステップＳ１７１に進み、CPU７１は、ユーザにより選択された表示ボタンが、ダウンロードボタン４１５(またはダウンロードボタン４４５)であるか否かを判断する。ユーザにより選択された表示ボタンが、ダウンロードボタン４１５(またはダウンロードボタン４４５)である場合、ステップＳ１７２に進み、CPU７１は、ダウンロードする画像が選択されているか否かを判断する。すなわち、図３０、および図３１に示される表示例において、チェックボックスのうち、少なくとも１つ以上のチェックボックスにチェックが入れられているか否かを判断する。
【０２０８】
なお、ステップＳ１７０において、表示ボタンが選択された時点で、LCD７８に表示されていた画像が、図３３および図３４に示されるように、拡大表示されたインデックス画像であった場合、ステップＳ１７２において、CPU７１は、この拡大表示されたインデックス画像が選択されていると判断する。
【０２０９】
ステップＳ１７２において、ダウンロードする画像が選択されていないと判定された場合、処理は、ステップＳ１７３に進み、CPU７１は、LCD７８に、図３５に示されるようなエラーメッセージを表示させる。図３５の表示例においては、画面中央に案内表示４５１「画像を選択してください」が表示され、ユーザにより、その下方のOKボタン４５２を選択する入力がなされると、処理はステップＳ１６９に戻り、CPU７１は、LCD７８に、再び、図３０乃至図３４に示されるようなインデックス画像を表示させ、上述した処理を繰り返す。
【０２１０】
ステップＳ１７２において、ダウンロードする画像が選択されていると、CPU７１が判断した場合、ステップＳ１７４に進み、CPU７１は、LCD７８に図３６に示されるような、画像を表示させ、ユーザに、ダウンロードを行うか否かの、選択を促す。図３６に示されるように、画面の中央には、案内表示４６１「メモリカードに２枚（577KB）の画像を保存します」と、ダウンロードする画像の枚数(2枚)、およびダウンロードする画像データの合計のファイルサイズ(577KB)が表示される。画面下方には、キャンセルボタン４６２およびOKボタン４６３が表示されている。ユーザは、入力部７７の所定の操作をすることにより、キャンセルボタン４６２もしくはOKボタン４６３を選択することができる。なお、図３６の画面では、デフォルトとして、キャンセルボタン４６２にカーソルが合わされている。そして、キャンセルボタン４６２およびOKボタン４６３のどちらを選択するかが決まったら、ユーザは、望みの表示ボタンにカーソルを合わせ、入力部７７の所定のボタンを押すことにより、選択を決定することができる。
【０２１１】
ステップＳ１７５において、CPU７１は、ユーザから、選択を決定する操作が、入力部７７に入力されるまで待機する。ユーザにより、選択を決定する操作が入力されると、処理は、ステップＳ１７６に進む。
【０２１２】
ステップＳ１７６において、ユーザにより入力部７７に入力された選択が、ダウンロードの指示ではないと判定された場合（キャンセルボタン４６２が選択されたと判定された場合）、処理はステップＳ１６９に戻り、上述した処理を繰り返す。
【０２１３】
ステップＳ１７６において、ユーザにより入力部７７に入力された選択が、ダウンロードの指示であると判定された場合（OKボタン４６３が選択されたと判定された場合）、ステップＳ１７７に進み、CPU７１は、図３０および図３１に示されたインデックス画像において、チェックが入れられたチェックボックスを抽出し、ステップＳ１７８において、CPU７１は、ステップＳ１７７で抽出されたチェックボックス情報を含んだHTML(Hyper Text Markup Language)のFormデータを作成し、これをビデオカメラ用イメージステーション４１に送信する。
【０２１４】
ビデオカメラ用イメージステーション４１のCPU１５１は、ステップＳ２０４において、ビデオカメラ１１からアクセスを受け、ステップＳ２０５において、ビデオカメラ１１からの要求が、画像データのダウンロードか否か判断し、要求はダウンロードであると判断した場合、ステップＳ２０６に進む。
【０２１５】
ビデオカメラ用イメージステーション４１の記憶部１５８は、アルバム内の各画像とチェックボックスを対応付けて記憶しており、ステップＳ２０６において、ビデオカメラ用イメージステーション４１のCPU１５１は、ビデオカメラ１１から送信されたHTMLのFormデータに含まれているチェックボックス情報を読み出し、チェックボックスに対応する画像のダウンロードリストを、ビデオカメラ１１に送信する。なお、ダウンロードリストとは、画像データのフォーマット、ファイルサイズ、および、画像データをダウンロードする際にアクセスするアクセス先のURL(Uniform Resource Locator)を含む情報のことである。
【０２１６】
ビデオカメラ１１の通信部８２は、ステップＳ１７９においてビデオカメラ用イメージステーション４１より、選択された画像のダウンロードリストを受信する。
【０２１７】
ステップＳ１８０において、CPU７１は、ステップＳ１７９において受信されたダウンロードリストを基に、画像情報を解析する。すなわち、CPU７１は、ダウンロードを選択された１以上の枚数の各画像の内から、通し番号の１番小さい画像に対応するダウンロードリストをピックアップし、画像のファイルサイズとフォーマットに関する情報を取り出す。
【０２１８】
なお、ダウンロードリストに含まれている情報は、LCD７８には表示されない。
【０２１９】
ステップＳ１８１において、CPU７１は、メモリカードインタフェース８４を介して、メモリカード８５にアクセスし、メモリカード８５の空きの記憶容量を算出する。
【０２２０】
ステップＳ１８２において、CPU７１は、ステップＳ１８０において解析した、画像のファイルサイズと、ステップＳ１８１において算出した、メモリカード８５の空き記憶容量を比較し、画像のファイルサイズが空き記憶容量を超えているか否かを判断することにより、選択された画像がメモリカード８５に記録可能か否かを判断する。その結果、ファイルサイズが空き容量を超えていた場合、すなわち、選択された画像がメモリカード８５に記録不可能と判断した場合、処理は、ステップＳ１８３に進み、エラー処理が実行される。
【０２２１】
すなわち、CPU７１は、LCD７８に、図３７に示される画面を表示させる。図３７には、画面中央に案内表示４８１「メモリカードの容量が足りません」が表示されている。ユーザにより下方のOKボタン４８２を選択する入力がなされると、処理は、ステップＳ１６９に戻り、上述した処理を繰り返す。
【０２２２】
ステップＳ１８２において、CPU７１が、選択された画像がメモリカード８５に記録可能だと判断した場合、ステップＳ１８４に進む。
【０２２３】
ROM７２には、予め、ダウンロード可能な画像のフォーマットのリストが記憶されており、ステップＳ１８４において、CPU７１は、予めROM７２に記憶されている、ダウンロード可能な画像のフォーマットのリストを参照して、ステップＳ１８０で解析された画像のフォーマットがダウンロード可能なフォーマットであるか否かを判断する。選択された画像データがダウンロード可能なフォーマットで無かった場合、ステップＳ１８５はスキップされ、ステップＳ１８６に進む。
【０２２４】
ステップＳ１８４において、CPU７１が、画像データは、ダウンロード可能なフォーマットの画像データであると判断した場合、ステップＳ１８５に進み、CPU７１は、ステップＳ１７９で取得したダウンロードリストよりダウンロードする画像に対応するURLを読み出し、通信部８２を介して、ビデオカメラ用イメージステーション４１の対応するURLにアクセスする。
【０２２５】
このとき、ビデオカメラ用イメージステーション４１の対応するURLは、ステップＳ２０７において、ビデオカメラ１１からのアクセスを受信し、ステップＳ２０８において、アクセスを受けたURLから、ビデオカメラ１１に画像データを供給する処理を行う。
【０２２６】
ビデオカメラ１１は、画像データのダウンロードを開始する。ビデオカメラ１１がダウンロードした画像データは、通信部８２から、メモリカードインタフェース８４を介して、メモリカード８５に記録される。
【０２２７】
なお、ダウンロード中、CPU７１は、LCD７８に、図３８に示されるような画面を表示させる。すなわち、画面中央には、案内表示５０１「メモリカードに保存しています・・・」が表示され、下方にはキャンセルボタン５０２が表示されている。ユーザは、ダウンロード途中で、中断したい場合、このキャンセルボタン５０２を選択する所定の操作を入力部７７から入力することにより、ダウンロードを中断することができる。CPU７１は、ダウンロードを中断した後、処理をステップＳ１６９に戻し、上述した処理を繰り返す。
【０２２８】
ダウンロードが終了すると、処理はステップＳ１８６に進む。
【０２２９】
ステップＳ１８６において、CPU７１は、選択された画像の中で、まだダウンロードされていない画像があるか否かを判定し、まだダウンロードされていない画像があった場合、ステップＳ１８０に戻り、上述した処理を繰り返す。ただし、ユーザにより選択された１以上の枚数の各画像の内から、通し番号の１番小さい画像のダウンロード用情報をピックアップする際に、既にダウンロードするか、しないかを判定された画像は、ピックアップされないようになっている。
【０２３０】
このようにして、ビデオカメラ１１が、選択された画像を、通し番号が小さい画像から順にダウンロードするのに対応して、ビデオカメラ用イメージステーション４１も対応する処理、すなわち、ステップＳ２０７およびステップＳ２０８の処理を繰り返して、順次、画像データを供給する。
【０２３１】
上述のようにして、ビデオカメラ１１は、選択された画像を、順次、ダウンロードしてゆくが、ステップＳ１８６において、選択された画像の中でまだダウンロードされていない画像はない（すなわち、選択された画像は全てダウンロードされた）と判断された場合、CPU７１は、LCD７８に、図３９に示されるような画面を表示させる。すなわち、画面中央に案内表示５１１「保存しました」が表示され、下方にはOKボタン５１２が表示される。入力部７７の所定の操作を行うと、OKボタン５１２が選択されるようになっており、OKボタン５１２が選択されると、CPU７１は、処理をステップＳ１６９に戻し、上述した処理を繰り返す。
【０２３２】
また、ビデオカメラ用イメージステーション４１は、ビデオカメラ１１から要求された全ての画像のビデオカメラ１１への供給が終了すると、一連の処理を終了し、ビデオカメラ１１からのアクセスがあるまで待機する。ビデオカメラ１１からのアクセスを受信すると、ビデオカメラ用イメージステーション４１は、ビデオカメラ１１からの要求に対応した処理を実行する。
【０２３３】
以上のようにして、ビデオカメラ用イメージステーション４１から、ビデオカメラ１１への、画像データのダウンロード処理は行われる。
【０２３４】
次に、図２３のステップＳ１７１において、CPU７１が、ユーザにより選択された表示ボタンが、ダウンロードの開始を指示するものではないと判断した場合、ステップＳ１８７に進む。
【０２３５】
ステップＳ１８７において、CPU７１は、ユーザにより選択された表示ボタンが、削除ボタン４１４（または削除ボタン４４４）であるか否かを判断する。ユーザにより選択された表示ボタンが、削除ボタン４１４（または削除ボタン４４４）であった場合、ステップＳ１８８に進み、CPU７１は、削除する画像が選択されているか否かを判断する。すなわち、図３０、および図３１において、チェックボックスのうち、少なくとも１つ以上のチェックボックスにチェックが入れられているか否かが判断される。
【０２３６】
なお、ステップＳ１７０において、表示ボタンが選択された時点で、LCD７８に表示されていた画像が、図３３および図３４に示したように、拡大表示されたインデックス画像であった場合、ステップＳ１８５において、CPU７１は、この拡大表示されたインデックス画像が選択されていると判断する。
【０２３７】
ステップＳ１８８において、CPU７１が、削除する画像が選択されていないと判断した場合、処理は、ステップＳ１８９に進み、LCD７８は、図３５に示されるようなエラーメッセージを表示する。図３５の説明は、先に記述したので、省略する。ユーザにより、画面下方のOKボタン４５２を選択する入力がなされると、処理はステップＳ１６９に戻り、CPU７１は、LCD７８に、再び、図３０乃至図３４に示したようなインデックス画像を表示させ、上述した処理を繰り返す。
【０２３８】
ステップＳ１８８において、CPU７１が、削除する画像が選択されていると判断した場合、ステップＳ１９０に進み、CPU７１は、LCD７８に、図４０に示される画面を表示させる。
【０２３９】
図４０においては、画面中央に、案内表示５２１「このアルバムから２枚の画像を削除してもよろしいですか？」が表示され、その下方に、キャンセルボタン５２２とOKボタン５２３が表示されている。ユーザは、入力部７７の所定の操作をし、カーソルを合わせ決定することにより、キャンセルボタン５２２、またはOKボタン５２３を選択することができる。なお、図４０の画面では、デフォルトとしてキャンセルボタン５２２にカーソルが合わされている。そして、ユーザは、希望する表示ボタンにカーソルを合わせ、入力部７７の所定のボタンを押すことにより、選択を決定することができる。
【０２４０】
ステップＳ１９１において、CPU７１は、ユーザから、選択を決定する操作が、入力部７７に入力されるまで待機する。ユーザにより、選択を決定する操作が入力されると、処理は、ステップＳ１９２に進む。
【０２４１】
CPU７１は、ステップＳ１９２において、ユーザにより入力部７７に入力された選択が、画像の削除の指示であるが否かを判定し、削除の指示ではなかった場合（キャンセルボタン５２２が選択された場合）、処理はステップＳ１６９に戻り、上述した処理を繰り返す。
【０２４２】
ステップＳ１９２において、ユーザにより入力部７７に入力された選択がOKボタン５２３であったと、CPU７１が判断した場合、ステップＳ１９３に進み、CPU７１は、通信部８２を介して、ビデオカメラ用イメージステーション４１にアクセスし、ユーザにより指定された画像データの、アルバムからの削除を要求する。
【０２４３】
ビデオカメラ用イメージステーション４１のCPU１５１は、ステップＳ２０４において、ビデオカメラ１１からの要求を受信し、ステップＳ２０５において、ビデオカメラ１１からの要求が、画像データのダウンロードであるか否か判断し、要求がダウンロードではない（画像の削除である）と判断した場合、ステップＳ２０９に進み、要求された画像データの、アルバムからの削除を行う。そして、削除後に残った画像データを並べ直した最新のアルバムのインデックス画像および付帯情報を作成し、ビデオカメラ１１に供給する処理を行い、一連の処理を終了し、ビデオカメラ１１からのアクセスがあるまで、待機する。ビデオカメラ１１からのアクセスを受信すると、ステップＳ２０１に戻り、上述した処理を繰り返す。
【０２４４】
ステップＳ１９４において、ビデオカメラ１１の通信部８２は、ビデオカメラ用イメージステーション４１から、新しいアルバムのインデックス画像および付帯情報を受信すると、処理はステップＳ１６９に戻り、CPU７１は、この受信したアルバムのインデックス画像を、LCD７８に表示させる。図４１は、図３１の画面において、インデックス画像３９７とインデックス画像３９８を選択し、削除した後に、表示された画面の例を示している。図４１においては、図３１に表示されていたインデックス画像３９７とインデックス画像３９８は消去され、インデックス画像３９９が、左側に詰めて表示されている。それ以外の表示は、図３１と同一である。
【０２４５】
以上のようにして、アルバムからの、画像データの削除は行われる。
【０２４６】
次に、ステップＳ１８７において、CPU７１が、ユーザにより選択された表示ボタンが、削除ボタン４１４ではないと判断した場合、処理はステップＳ１９５に進み、CPU７１は、選択された表示ボタンは、全て選択ボタン４１２、または、全てクリアボタン４１３であるか否かを判断する。選択された表示ボタンが、全て選択ボタン４１２、または、全てクリアボタン４１３であった場合、ステップＳ１９６に進み、CPU７１は、選択されたボタンが、全て選択ボタン４１２であれば、図３０および図３１に示した画面の、各インデックス画像のチェックボックスすべてに、チェックを入れる。選択されたボタンが、全てクリアボタン４１３であれば、図３０および図３１に示したような画面の、各インデックス画像のチェックボックスすべてのチェックを、消去する。その後、ステップＳ１７０に戻り、上述した処理を繰り返す。
【０２４７】
ステップＳ１９５において、CPU７１が、選択された表示ボタンは、全て選択ボタン４１２、および、全てクリアボタン４１３のどちらでもないと判断した場合、すなわち選択された表示ボタンは移行ボタン３９３「アルバム選択ページへ」であった場合、処理は、ステップＳ１６３に進み、上述した処理を繰り返す。
【０２４８】
以上のようにして、ユーザは、ビデオカメラ１１を用いて、アルバムの閲覧および編集を行うことができる。
【０２４９】
なお、上述した一連の処理中、ユーザは、あらかじめ設定された所定の操作を入力部７７に入力することにより、いつでも、処理を中断することができるようになっている。
【０２５０】
また、ユーザは、所定のIDとパスワードを利用して、ネットワークに接続された汎用のパーソナルコンピュータから、ビデオカメラ用イメージステーション４１にアクセスし、画像データの閲覧および編集を行うこともできる。
【０２５１】
上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０２５２】
この記録媒体は、図３乃至図６に示されるように、装置本体とは別に、ユーザにプログラムを提供するために配布される、プログラムが記録されている磁気ディスク９１（フレキシブルディスクを含む），１３１，１７１，２１１、光ディスク９２（CD-ROM(Compact Disk-Read Only Memory),DVD(Digital Versatile Disk)を含む），１３２，１７２，２１２、光磁気ディスク９３（ＭＤ（Mini-Disk）を含む），１３３，１７３，２１３、もしくは半導体メモリ９４，１３４，１７４，２１４などよりなるパッケージメディアにより構成されるだけでなく、装置本体に予め組み込まれた状態でユーザに提供される、プログラムが記録されているROM７２，１１２，１５２，１９２や、記憶部１１８，１５８，１９８に含まれるハードディスクなどで構成される。
【０２５３】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０２５４】
また、本明細書において、システムとは、複数の装置により構成される装置全体を表すものである。
【０２５５】
【発明の効果】
以上のごとく、本発明の第１の情報処理システムによれば、簡易な操作で１以上の
画像データをダウンロードすることが可能なシステムを実現することができる。
【０２５６】
本発明の第１の情報処理装置および方法、記録媒体、並びにプログラムによれば、簡易な操作で１以上の画像データをダウンロードすることが可能となる。
【０２５７】
本発明の第２の情報処理装置および方法、記録媒体、並びにプログラムによれば、簡易な操作で１以上の画像データを供給することが可能となる。
【図面の簡単な説明】
【図１】従来のサービス提供システムの構成を示す図である。
【図２】本発明を適用したサービス提供システムの構成を示す図である。
【図３】図１のビデオカメラの構成を示すブロック図である。
【図４】図１のカスタマ登録ウェブサーバの構成を示すブロック図である。
【図５】図１のビデオカメラ用イメージステーションの構成を示すブロック図である。
【図６】図１のカスタマデータベースの構成を示すブロック図である。
【図７】図１のサービス提供システムにおけるカスタマ登録処理を説明するフローチャートである。
【図８】図１のビデオカメラのデジタルイメージカスタマ登録処理を説明するフローチャートである。
【図９】図１のネットワークシステムのデジタルイメージカスタマ登録処理を説明するフローチャートである。
【図１０】図１のビデオカメラのISP接続登録処理を説明するフローチャートである。
【図１１】図１のインターネットサービスプロバイダのカスタマデータベースのISP接続登録処理を説明するフローチャートである。
【図１２】図１０のステップＳ７９におけるインターネットサービスプロバイダ設定情報の例を示す図である。
【図１３】図１０のステップＳ８０におけるビデオカメラ用設定情報の例を示す図である。
【図１４】インターネットに接続する場合における設定項目を説明する図である。
【図１５】図１のビデオカメラのアルバム利用登録処理を説明するフローチャートである。
【図１６】図１のビデオカメラ用イメージステーションのアルバム登録利用処理を説明するフローチャートである。
【図１７】図１のビデオカメラのアクセス処理を説明するフローチャートである。
【図１８】共通のIDとパスワードの利用を説明する図である。
【図１９】メモリカードに記憶した画像を表示しているLCDの画面の例である。
【図２０】図１９のネットワークボタンが選択された後に、LCDに表示される画面の例である。
【図２１】図２０のWebアルバムボタンが選択された後に、LCDに表示される画面の例である。
【図２２】図１のビデオカメラの編集／閲覧処理を説明するフローチャートである。
【図２３】図１のビデオカメラの編集／閲覧処理を説明する、図２２に続くフローチャートである。
【図２４】図１のビデオカメラの編集／閲覧処理に対応する、図１のビデオカメラ用イメージステーションの処理を説明するフローチャートである。
【図２５】図２１の閲覧／編集ボタンが選択された後に、LCDに表示される画面の例である。
【図２６】図２５の画面表示の後に、LCDに表示される画面の例である。
【図２７】  LCDに表示されたアルバム選択ページ画面の例である。
【図２８】１つのアルバムにカーソルが合わせられたアルバム選択ページ画面の例である。
【図２９】図１９のステップＳ１６６において表示される画面の例である。
【図３０】図２０のステップＳ１６９において表示される画面の例である。
【図３１】図２０のステップＳ１６９において表示される画面の、別の例である。
【図３２】図２０のステップＳ１６９において表示される画面の、さらに別の例である。
【図３３】図２０のステップＳ１６９において表示される画面の、さらに別の例である。
【図３４】図２０のステップＳ１６９において表示される画面の、さらに別の例である。
【図３５】図２０のステップＳ１７３およびステップＳ１８９においてLCDに表示される画面の例である。
【図３６】図２０のステップＳ１７４においてLCDに表示される画面の例である。
【図３７】図２０のステップＳ１７７においてLCDに表示される画面の例である。
【図３８】図２０のステップＳ１８５においてLCDに表示される画面の例である。
【図３９】図２０のステップＳ１８６においてLCDに表示される画面の例である。
【図４０】図２０のステップＳ１９０においてLCDに表示される画面の例である。
【図４１】図２０のステップＳ１６９においてLCDに表示される画面の、別の例である。
【符号の説明】
１１  ビデオカメラ，  １２  ブルートゥースアダプタ，  １３  公衆回線網，  １４  ネットワークシステム，  １５  ネットワークサービスビジネスセンタ，  １６  イメージステーションサーバ，  １７  インターネットサービスプロバイダ，  ４１  ビデオカメラ用イメージステーション，  ５１  アクセスポイント，  ７１  CPU，  ７２  ROM，  ７３  RAM，  ７４  EEPROM，  ７５  バス，  ７６  入出力インタフェース，  ７７  入力部，  ７８  LCD，  ７９スピーカ，  ８０  撮像部，  ８１  マイクロホン，  ８２  通信部，  ８３記録再生部，  ８４  メモリカードインタフェース，  ８５  メモリカード，８６  エンコーダ／デコーダ，  ８７  ドライブ，  ９１  磁気ディスク，  ９２  光ディスク，  ９３  光磁気ディスク，  ９４  半導体メモリ，  ３７１横スクロールバー，  ３７２  縦スクロールバー，  ３７９  時間表示，  ３９１  アルバム索引，  ３９２  表示ページ番号，  ３９３  移行ボタン，  ３９４乃至３９９  インデックス画像，  ４１１  ページ番号，  ４１２  全て選択ボタン，  ４１３  全てクリアボタン，  ４１４  削除ボタン，  ４１５  ダウンロードボタン
【図１】
0004238527.tif 000002
【図２】
0004238527.tif 000003
【図３】
0004238527.tif 000004
【図４】
0004238527.tif 000005
【図５】
0004238527.tif 000006
【図６】
0004238527.tif 000007
【図７】
0004238527.tif 000008
【図８】
0004238527.tif 000009
【図９】
0004238527.tif 000010
【図１０】
0004238527.tif 000011
【図１１】
0004238527.tif 000012
【図１２】
0004238527.tif 000013
【図１３】
0004238527.tif 000014
【図１４】
0004238527.tif 000015
【図１５】
0004238527.tif 000016
【図１６】
0004238527.tif 000017
【図１７】
0004238527.tif 000018
【図１８】
0004238527.tif 000019
【図１９】
0004238527.tif 000020
【図２０】
0004238527.tif 000021
【図２１】
0004238527.tif 000022
【図２２】
0004238527.tif 000023
【図２３】
0004238527.tif 000024
【図２４】
0004238527.tif 000025
【図２５】
0004238527.tif 000026
【図２６】
0004238527.tif 000027
【図２７】
0004238527.tif 000028
【図２８】
0004238527.tif 000029
【図２９】
0004238527.tif 000030
【図３０】
0004238527.tif 000031
【図３１】
0004238527.tif 000032
【図３２】
0004238527.tif 000033
【図３３】
0004238527.tif 000034
【図３４】
0004238527.tif 000035
【図３５】
0004238527.tif 000036
【図３６】
0004238527.tif 000037
【図３７】
0004238527.tif 000038
【図３８】
0004238527.tif 000039
【図３９】
0004238527.tif 000040
【図４０】
0004238527.tif 000041
【図４１】
0004238527.tif 000042